(57)【要約】【課題】従来のパチンコ遊技機では実現し得なかった斬新な保留表示の変化を表示することが可能なパチンコ遊技機を提供する。【解決手段】保留情報に応じた個数の保留表示を表示部に表示させると共に、事前判定手段により判定された擬似連演出の変動回数以下の変動回数を示唆する演出対象保留表示（第二保留図柄１５０Ｂ）を前記保留表示として表示することにより、前記擬似連演出の変動回数が当該示唆した変動回数以上であることを遊技者に報知する保留演出制御手段を具備した。【選択図】図２７
2015223276.tif 000002
【特許請求の範囲】
【請求項１】
遊技球が入球可能な始動口と、
遊技球の前記始動口への入球に応じて、大当りであるか否かの大当り判定を行う大当り判定手段と、
遊技球の前記始動口への入球に応じて、図柄を変動表示すると共に所定の態様で停止表示させることで前記大当り判定の結果を報知する表示部と、
遊技球の前記始動口への入球に応じて、変動表示された図柄を特定の態様で仮停止表示させた後に再び変動表示させる擬似連演出の変動回数を決定する擬似連演出決定手段と、
遊技球の前記始動口への入球に応じて、前記図柄の変動表示の保留情報を記憶する変動表示保留手段と、
前記変動表示保留手段により前記保留情報が記憶された場合、当該保留情報に対応する図柄の変動表示の開始前に、当該保留情報に対応して前記擬似連演出決定手段により決定された前記擬似連演出の変動回数を判定する事前判定手段と、
前記保留情報に応じた個数の保留表示を前記表示部に表示させると共に、前記事前判定手段により判定された前記擬似連演出の変動回数以下の変動回数を示唆する演出対象保留表示を前記保留表示として表示することにより、前記擬似連演出の変動回数が当該示唆した変動回数以上であることを遊技者に報知する保留演出制御手段とを具備することを特徴とするパチンコ遊技機。
【発明の詳細な説明】
【技術分野】
【０００１】
本発明は、パチンコ遊技機の技術に関する。
【背景技術】
【０００２】
従来、特別図柄の変動の保留回数を示す保留表示（保留図柄）を変化させることによって遊技者の興趣を高めるパチンコ遊技機の技術は公知となっている。例えば、特許文献１に記載の如くである。
【０００３】
特許文献１に記載のパチンコ遊技機では、画像表示器（表示部）に表示された保留標識（保留図柄）の個数によって、特別図柄遊技の保留回数を示している。当該保留標識は、通常態様（大きさが比較的小さい状態）から特殊態様（大きさが比較的大きい状態）に変化する場合がある。保留標識が特殊態様に変化した場合には、大当りになる蓋然性が高い（期待度が高い）ことを遊技者に事前に認識させることができる。これによって、当該遊技者の興趣を高めることができる。
【０００４】
また、変動表示された図柄を特定の態様で仮停止表示させた後に再び変動表示させる擬似連演出を行うことによって遊技者の興趣を高めるパチンコ遊技機の技術は公知となっている。例えば、特許文献２に記載の如くである。
【０００５】
特許文献２に記載のパチンコ遊技機では、内部的（制御的）には１回の図柄の変動であるにもかかわらず、図柄が複数回変動しているように遊技者に見せることで、当該遊技者の興趣を高めることができる。
【先行技術文献】
【特許文献】
【０００６】
【特許文献１】特開２０１３−１９２８４１号公報
【特許文献２】特開２００９−２９１２６３号公報
【発明の概要】
【発明が解決しようとする課題】
【０００７】
本発明が解決しようとする課題は、擬似連演出と保留表示の変化とを関連付けて、従来のパチンコ遊技機では実現し得なかった斬新な保留表示の変化を表示することが可能なパチンコ遊技機を提供することである。
【課題を解決するための手段】
【０００８】
本発明の解決しようとする課題は以上の如くであり、次にこの課題を解決するための手段を説明する。
【０００９】
即ち、請求項１においては、遊技球が入球可能な始動口と、遊技球の前記始動口への入球に応じて、大当りであるか否かの大当り判定を行う大当り判定手段と、遊技球の前記始動口への入球に応じて、図柄を変動表示すると共に所定の態様で停止表示させることで前記大当り判定の結果を報知する表示部と、遊技球の前記始動口への入球に応じて、変動表示された図柄を特定の態様で仮停止表示させた後に再び変動表示させる擬似連演出の変動回数を決定する擬似連演出決定手段と、遊技球の前記始動口への入球に応じて、前記図柄の変動表示の保留情報を記憶する変動表示保留手段と、前記変動表示保留手段により前記保留情報が記憶された場合、当該保留情報に対応する図柄の変動表示の開始前に、当該保留情報に対応して前記擬似連演出決定手段により決定された前記擬似連演出の変動回数を判定する事前判定手段と、前記保留情報に応じた個数の保留表示を前記表示部に表示させると共に、前記事前判定手段により判定された前記擬似連演出の変動回数以下の変動回数を示唆する演出対象保留表示を前記保留表示として表示することにより、前記擬似連演出の変動回数が当該示唆した変動回数以上であることを遊技者に報知する保留演出制御手段とを具備するものである。
【発明の効果】
【００１０】
本発明の効果として、以下に示すような効果を奏する。
【００１１】
本発明においては、従来のパチンコ遊技機では実現し得なかった斬新な保留表示の変化を表示することができる。
【図面の簡単な説明】
【００１２】
【図１】本発明の一実施形態に係るパチンコ遊技機の全体的な構成を示した正面図。
【図２】窓枠が開放された状態の構成を示した斜視図。
【図３】遊技盤の構成を示した正面図。
【図４】主制御回路、サブ制御回路、及び表示制御回路の構成を示したブロック図。
【図５】主制御回路の主制御ＲＡＭの構成を示した図。
【図６】主制御回路の主制御ＲＯＭの構成を示した図。
【図７】主制御回路の主制御ＲＯＭに記憶された大当り判定テーブルの制御データを示した図。
【図８】主制御回路の主制御ＲＯＭに記憶された大当り変動パターン選択テーブルの制御データを示した図。
【図９】主制御回路の主制御ＲＯＭに記憶されたハズレ変動パターン選択テーブルの制御データを示した図。
【図１０】サブ制御回路のサブ制御ＲＡＭの構成を示した図。
【図１１】サブ制御回路のサブ制御ＲＯＭの構成を示した図。
【図１２】サブ制御回路のサブ制御ＲＯＭに記憶された演出内容選択テーブルの制御データを示した図。
【図１３】サブ制御回路のサブ制御ＲＯＭに記憶された大当り先読みテーブルの制御データを示した図。
【図１４】サブ制御回路のサブ制御ＲＯＭに記憶された大当り変動パターン先読みテーブルの制御データを示した図。
【図１５】サブ制御回路のサブ制御ＲＯＭに記憶されたハズレ変動パターン先読みテーブルの制御データを示した図。
【図１６】サブ制御回路のサブ制御ＲＯＭに記憶された保留演出内容選択テーブルの制御データを示した図。
【図１７】遊技の流れについて示したフローチャート。
【図１８】主制御回路の特別図柄遊技の処理を示したフローチャート。
【図１９】図１８における処理の続きを示したフローチャート。
【図２０】主制御回路の特別図柄遊技の処理における変動パターンの選択の処理を示したフローチャート。
【図２１】サブ制御回路の大当り及び変動パターンの先読みの処理を示したフローチャート。
【図２２】サブ制御回路の装飾図柄遊技の処理を示したフローチャート。
【図２３】液晶表示部の表示内容を示した図。
【図２４】第一保留図柄及び第二保留図柄を例示した図。
【図２５】「福引券３枚」の演出内容の流れを示したフローチャート。
【図２６】保留図柄が移動する様子を示した図。
【図２７】図２６の続きを示した図。
【図２８】装飾図柄の変動の様子を示した図。
【図２９】１回目の福引が実行される様子を示した図。
【図３０】１セット目の擬似連が成立する様子を示した図。
【図３１】２回目及び３回目の福引が実行された様子を示した図。
【図３２】２セット目及び３セット目の擬似連が成立する様子、並びに確定図柄が表示される様子を示した図。
【図３３】第二保留図柄が移動の途中で変化する様子を示した図。
【図３４】福引の実行に合わせて第二保留図柄が変化する様子を示した図。
【発明を実施するための形態】
【００１３】
次に、発明の実施の形態を説明する。
【００１４】
まず、本発明に係るパチンコ遊技機の一実施形態に係る遊技機の全体的な構成について説明する。
なお、以下の説明では、遊技機を遊技者から見て、手前側を遊技機の前側とし、奥側を遊技機の後側として、前後方向を規定する。また、遊技機を遊技者から見て、左手側を遊技機の左側とし、右手側を遊技機の右側として、左右方向を規定する。
【００１５】
遊技機は、図１及び図２が示すように、主として、外枠２と、中枠３と、窓枠５と、により構成される枠体に、各種の遊技部品が取り付けられて形成される。
【００１６】
外枠２は、遊技機の外郭を成し、前後面が開口された略四角筒状に形成される枠体である。外枠２は、パチンコホール等の遊技場に設けられた台島に設置される。外枠２には、中枠３が設けられる。
【００１７】
中枠３は、前後面が開口された略四角筒状に形成される枠体である。中枠３は、外枠２の前側の開口部にヒンジ等の軸支部材を介して回動可能に支持される。中枠３には、遊技盤４と、窓枠５と、下皿ユニット６と、が設けられる。
【００１８】
遊技盤４は、略平板状に形成される部材である。遊技盤４は、中枠３の下側を除く略全面に渡って配置される。遊技盤４は、中枠３に着脱可能に取り付けられる。遊技盤４の前側面には、遊技球が転動する領域である遊技領域７が形成される（図３参照）。
【００１９】
窓枠５は、略平板状に形成される枠体である。窓枠５は、遊技盤４の前方に配置される。窓枠５は、中枠３の前側の開口部にヒンジ等の軸支部材を介して回動可能に支持される。窓枠５の略中央には、略円形状の窓枠開口部８が開口される。窓枠開口部８は、透明板１３により被覆される。これによって、遊技者は、前方から透明板１３を介して窓枠５の後方に配置された遊技盤４の遊技領域７を視認することができる。窓枠開口部８の下方には、発射前の遊技球が貯溜される上皿９が配設される。窓枠開口部８の左右上方には、スピーカ１０がそれぞれ配設される。
【００２０】
下皿ユニット６は、中枠３の下側であって窓枠５の下方に取り付けられる。下皿ユニット６の略中央には、上皿９から溢れた遊技球が貯溜される下皿１１が配設される。下皿ユニット６の右側部であって下皿１１の右方には、発射ハンドル１２が配設される。発射ハンドル１２は、回動操作されることによって上皿９に貯溜された遊技球を遊技盤４の遊技領域７へ向けて発射可能に構成される。
【００２１】
次に、遊技領域７の構成について、図３及び図４を用いてさらに詳細に説明する。
【００２２】
遊技領域７は、遊技盤４の前側面にガイドレール２０によって区画形成される。ガイドレール２０は、略円弧状に形成された帯状の部材である。ガイドレール２０は、遊技盤４の前側面に正面視で略円形状を形成するように配置される。こうして、遊技領域７は、ガイドレール２０によって正面視で略円形状に区画形成される。遊技領域７内には、図示せぬ複数の遊技釘が植設される。そして、発射ハンドル１２の回動操作によって遊技領域７内に放出された遊技球は、前記遊技釘に衝突しながら当該遊技領域７内を下方へ向けて落下する（転動する）。
【００２３】
遊技領域７内には、可変入賞装置２２と、始動ゲート２３と、大入賞装置２４と、普通図柄表示装置２５と、特別図柄表示装置２６と、装飾図柄表示装置２７と、が設けられる。
【００２４】
可変入賞装置２２（普通電動役物）は、遊技領域７内の中央下部に配置される。可変入賞装置２２には、始動口２９が設けられる。始動口２９は、上面が開口されたポケット状に形成され、その内部に遊技球が入球（入賞）可能に構成される。始動口２９の左右上方には、一対の可動片３０が相互に対向して配設される。一対の可動片３０には、可変入賞装置２２に設けられた可動片用ソレノイド３１の出力軸が連動連結される。そして、一対の可動片３０は、可動片用ソレノイド３１の出力軸の作動によって、遊技球が始動口２９に入賞することができない閉塞状態と、遊技球が始動口２９に入賞することができる開放状態と、を切り替え可能に構成される。
【００２５】
始動口２９の内部には、近接スイッチからなる始動口センサ３２が配設される。始動口センサ３２は、遊技球が始動口２９（可変入賞装置２２）に入賞すると当該入賞を検知して、始動口入賞信号を出力する。
【００２６】
始動ゲート２３は、遊技領域７内の左部に配置される。始動ゲート２３は、上下方向に貫通した平面視略コの字状に形成され、その内側を遊技球が通過可能に構成される。始動ゲート２３の内側には、近接スイッチからなる始動ゲートセンサ３３が配設される。始動ゲートセンサ３３は、遊技球が始動ゲート２３を通過すると当該通過を検知して、始動ゲート通過信号を出力する。
【００２７】
大入賞装置２４（特別電動役物）は、遊技領域７内の下部であって、可変入賞装置２２の下方に配置される。大入賞装置２４には、大入賞口３４が設けられる。大入賞口３４は、正面視で左右方向に細長い略矩形状であって、遊技領域７が前後方向に貫通して形成される。大入賞口３４は、大入賞口扉３５によって被覆される。大入賞口扉３５は、下端を支点として遊技領域７に対して前後回りに回動可能に支持される。大入賞口扉３５には、大入賞装置２４に設けられた大入賞口扉用ソレノイド３６の出力軸が連動連結される。そして、大入賞口扉３５は、大入賞口扉用ソレノイド３６の出力軸の作動によって、遊技球が大入賞口３４に入賞することができる開放状態と、遊技球が大入賞口３４に入賞することができない閉塞状態と、を切り替え可能に構成される。
【００２８】
大入賞口３４の内部には、近接スイッチからなる大入賞口センサ３７が配設される。大入賞口センサ３７は、遊技球が大入賞口３４（大入賞装置２４）に入賞すると当該入賞を検知して、大入賞口入賞信号を出力する。
【００２９】
普通図柄表示装置２５は、普通図柄３９の変動を表示し、普通図柄遊技の当り判定の結果を表示（報知）する装置である。普通図柄表示装置２５は、遊技領域７内の右下部に配置される。普通図柄表示装置２５には、普通図柄３９を表示するためのドットマトリクス形のＬＥＤ表示部３８が設けられる。
なお、本実施形態では、普通図柄３９の図柄要素として、「○」及び「×」の図柄が使用される。「○」及び「×」の図柄は、ＬＥＤ表示部３８に、交互に変動しながら表示される。そして、普通図柄遊技の当り判定の結果が当りであると、「○」の図柄で変動が停止される。一方、普通図柄遊技の当り判定の結果がハズレ（外れ）であると、「×」の図柄で変動が停止される。
【００３０】
特別図柄表示装置２６は、特別図柄４１の変動を表示し、特別図柄遊技の大当り判定の結果を表示（報知）する装置である。特別図柄表示装置２６は、遊技領域７内の右下部であって、普通図柄表示装置２５に隣接して配置される。
なお、本実施形態では、特別図柄４１を表示するためのＬＥＤ表示部４０が設けられる。特別図柄４１は、ＬＥＤ表示部４０にて変動しながら表示される。そして、特別図柄遊技の大当り判定の結果が大当りであると、所定の当り図柄で変動が停止される。一方、特別図柄遊技の大当り判定の結果がハズレであると、所定のハズレ図柄で変動が停止される。
【００３１】
装飾図柄表示装置２７は、複数の装飾図柄４３・４３・４３の変動を表示し、装飾図柄遊技の結果（特別図柄遊技の大当り判定の結果）を表示（報知）すると共に、当該特別図柄遊技の（変動）保留回数を保留図柄１５０・１５０・・・によって表示（報知）する装置である。装飾図柄表示装置２７には、装飾図柄４３・４３・４３及び保留図柄１５０・１５０・・・の表示領域としての液晶表示部４２が設けられる。装飾図柄表示装置２７は、液晶表示部４２を前方へ向けた状態で、遊技領域７の略中央に開口された開口部４４に取り付けられる。液晶表示部４２には、その上端部から下端部近傍に亘って左・中・右の３つの変動領域が形成される。３つの変動領域では、装飾図柄４３・４３・４３がそれぞれ独立して変動するように表示される。そして、装飾図柄４３・４３・４３の変動が停止すると、３つの装飾図柄４３・４３・４３が横一列に並んだ状態で表示される。
なお、装飾図柄４３・４３・４３の変動が停止する順番は、リーチ演出等の特定の演出内容がない場合には、３つの変動領域のうちの左から順番に停止される。また、リーチ演出等の特定の演出内容がある場合には、３つの変動領域のうちの右から順番に停止されたり、中から順番に停止されたり、その停止される順番が変化する。
なお、本実施形態では、装飾図柄４３・４３・４３の図柄要素として、「０」「１」「２」「３」「４」「５」「６」「７」の数字図柄が使用される。
【００３２】
ここで、「装飾図柄４３の変動」とは、「０」から「７」までの図柄が、所定の変動時間内で順番に繰り返して（循環して）変化することを指すものである。そして、所定の変動時間が経過すると、装飾図柄４３の変動が停止され、「０」から「７」までのうち一つの装飾図柄４３が確定図柄となる。そして、液晶表示部４２の３つの変動領域に停止（確定）した装飾図柄４３・４３・４３の組み合わせに応じて、装飾図柄遊技の結果が表示される。
【００３３】
なお、「装飾図柄遊技」とは、液晶表示部４２に、装飾図柄４３・４３・４３を変動させ、その後に停止（確定）させる一連の遊技（表示）のことを指すものである。また、装飾図柄遊技には、擬似連演出が含まれる。擬似連演出は、装飾図柄４３・４３・４３が仮停止（未確定）表示された後に再び変動表示される「擬似連」を１セットとして、当該擬似連が所定の変動回数（セット数）だけ繰り返されるものである。なお、擬似連において、装飾図柄４３・４３・４３が仮停止する際には、中央の装飾図柄４３として擬似連の成立を遊技者に報知するための擬似連図柄（本実施形態においては、星型の図柄）が表示される。
【００３４】
なお、本実施形態においては、横一列に同じ図柄が揃った状態で装飾図柄４３・４３・４３の変動が停止された場合、装飾図柄遊技の結果が大当り（当り）である旨を遊技者に報知することができるものとする。
また、本実施形態においては、上述の如く中央の装飾図柄４３として擬似連図柄が表示された状態で装飾図柄４３・４３・４３の変動が仮停止表示された場合、擬似連が成立した旨を遊技者に報知することができるものとする。
また、本実施形態においては、横一列に同じ図柄が揃わない状態（前記特定の態様を除く）で装飾図柄４３・４３・４３の変動が停止された場合、装飾図柄遊技の結果がハズレである旨を遊技者に報知することができるものとする。
【００３５】
なお、擬似連の成立を遊技者に報知する方法は、上記方法（中央の装飾図柄４３が擬似連図柄になる方法）に限るものではない。例えば、仮停止した装飾図柄４３・４３・４３が横一列に並んだ状態で予め設定されたチャンス目（例えば、「７７６」等）の図柄の組み合わせになることで、擬似連の成立を報知することも可能である。
【００３６】
装飾図柄４３・４３・４３の変動は、特別図柄表示装置２６における特別図柄４１の変動の停止に応じて停止する。また、装飾図柄遊技の結果は、特別図柄遊技の大当り判定の結果に応じて決定される。つまり、特別図柄遊技の大当り判定の結果が大当りであると、装飾図柄遊技の結果が当りとなり、一方、特別図柄遊技の大当り判定の結果がハズレであると、装飾図柄遊技の結果がハズレとなる。
【００３７】
なお、本実施形態では、装飾図柄遊技の結果が当りであると、液晶表示部４２の３つの変動領域に停止した装飾図柄４３・４３・４３の組み合わせは、相互に同一種類の図柄となる。つまり、装飾図柄遊技の結果が当りであると、液晶表示部４２の３つの変動領域に停止した装飾図柄４３・４３・４３の組み合わせは、「０００」「１１１」「２２２」「３３３」「４４４」「５５５」「６６６」「７７７」のうちいずれかの組み合わせとなる。
【００３８】
なお、装飾図柄遊技の結果が当りであると、遊技状態が大当り遊技状態へ移行する。ここで、「大当り遊技状態」とは、大入賞装置２４（特別電動役物）が作動して、当該大当り遊技状態となる前の遊技状態（通常の遊技状態）よりも有利となる遊技状態が遊技者に付与された遊技状態を指すものである。また、「大当り遊技」とは、大当り遊技状態での遊技を指すものである。
【００３９】
より詳細には、遊技状態が大当り遊技状態へ移行すると、大入賞装置２４の開放状態と閉塞状態とが連続して切り替えられ、遊技球の大入賞口３４への入賞機会が通常の遊技状態と比較して相対的に増加する。大入賞装置２４の開放状態と閉塞状態との連続した切り替えは、所定の回数（例えば、１５回）だけ行われる。なお、大入賞装置２４の１回当りの開放状態は、所定の時間（例えば、３０秒）を経過した場合か、又は所定の個数（例えば、１０個）の遊技球が大入賞口３４に入賞した場合に終了し、閉塞状態へと切り替えられる。
【００４０】
なお、装飾図柄遊技の結果がハズレであると、液晶表示部４２の３つの変動領域に停止した装飾図柄４３・４３・４３の組み合わせは、「０００」「１１１」「２２２」「３３３」「４４４」「５５５」「６６６」「７７７」以外の組み合わせとなる。
ここで、装飾図柄遊技の結果がハズレである場合の演出内容は、３つの変動領域に表示された装飾図柄４３・４３・４３がそれぞれ停止する順番や、停止した組み合わせによって、「リーチハズレ」（リーチ演出あり）と「完全ハズレ」（リーチ演出なし）とに区分される。
【００４１】
また、装飾図柄表示装置２７の液晶表示部４２の下端部には、保留図柄１５０・１５０・・・を表示するための特別図柄変動保留回数表示部４５が設けられる。特別図柄変動保留回数表示部４５には、特別図柄遊技の（変動）保留回数と同数の保留図柄１５０・１５０・・・が表示される。特別図柄遊技の（変動）保留回数は、上限を８回として、特別図柄４１が変動表示されている際における遊技球の始動口２９への入賞（遊技球による始動口２９の通過）に応じて加算され、あるいは特別図柄４１の変動に応じて減算されて表示される。
【００４２】
次に、主として遊技機の遊技動作を制御する主制御回路５０の構成について、図４から図９を用いて説明する。
【００４３】
主制御回路５０は、図４に示すように、主として、主制御ＣＰＵ５１と、主制御ＲＯＭ５５と、主制御ＲＡＭ５４と、主制御入出力回路（Ｉ／Ｏ）５２と、により構成される。
これらの主制御ＣＰＵ５１と主制御ＲＯＭ５５と主制御ＲＡＭ５４と主制御入出力回路（Ｉ／Ｏ）５２とは、バスによって相互に接続されている。主制御ＲＯＭ５５には、制御プログラムや各種の制御処理に使用される制御データ等が予め記憶されている。主制御ＲＡＭ５４には、主制御ＣＰＵ５１による処理事項が一時的に記憶されている。そして、主制御ＣＰＵ５１は、主制御ＲＡＭ５４をワークエリアとし、主制御ＲＯＭ５５に予め記憶されている制御プログラムや各種の制御データ等に基づいて制御動作を実行する。また、主制御ＣＰＵ５１には、主制御クロック回路５３が接続される。主制御クロック回路５３は、クロック信号を生成し、当該クロック信号が所定周期（例えば、４ｍｓ）毎に主制御ＣＰＵ５１に入力される。
【００４４】
主制御入出力回路（Ｉ／Ｏ）５２は、外部にて出力された各種の信号の受信部として、始動口センサ３２，始動ゲートセンサ３３，大入賞口センサ３７等と、電気的に接続されている。また、主制御入出力回路（Ｉ／Ｏ）５２は、主制御ＣＰＵ５１から発信された各種の信号（コマンド）の送信部として、ソレノイド駆動回路１１０を介して可動片用ソレノイド３１及び大入賞口扉用ソレノイド３６と、表示部駆動回路１２０を介してＬＥＤ表示部３８及びＬＥＤ表示部４０と、並びにサブ制御回路８０のサブ制御入出力回路（Ｉ／Ｏ）８２等と、それぞれ電気的に接続されている。
【００４５】
主制御ＲＡＭ５４には、図５に示すように、主制御クロック回路５３から主制御ＣＰＵ５１にクロック信号が入力される毎に「０」から「１９９」まで繰り返し１ずつ加算した数値が格納される大当りカウンタ６０が設けられる。
【００４６】
また、主制御ＲＡＭ５４には、図５に示すように、主制御クロック回路５３から主制御ＣＰＵ５１にクロック信号が入力される毎に「０」から「１９９」まで繰り返し１ずつ加算した数値が格納される変動パターン選択カウンタ６１が設けられる。
【００４７】
また、主制御ＲＡＭ５４には、図５に示すように、特別図柄遊技の特別図柄４１の変動表示時間の計測等に使用される特図用タイマカウンタ６２が設けられる。
【００４８】
また、主制御ＲＡＭ５４には、図５に示すように、特別図柄遊技の特別図柄４１の（変動）保留回数（保留情報の個数）の計測に使用される特図変動保留回数カウンタ６４が設けられる。特図変動保留回数カウンタ６４には、「０」から「８」までの数値が格納される。前記数値は、遊技球の始動口２９への入賞毎に１ずつ加算して記憶され、あるいは特別図柄４１の変動毎に１ずつ減算して記憶される。なお、特別図柄遊技の（変動）保留回数の上限は８回であり、特図変動保留回数カウンタ６４のカウンタ値は最大で「８」となる。
【００４９】
また、主制御ＲＡＭ５４には、図５に示すように、主制御クロック回路５３から主制御ＣＰＵ５１にクロック信号が入力される毎に「０」から「１９９」まで繰り返し１ずつ加算した数値が格納される大当り先読みカウンタ６５が設けられる。当該大当り先読みカウンタ６５に格納された値は、大当りカウンタ６０に格納された値と常に同一の値となる。
【００５０】
また、主制御ＲＡＭ５４には、図５に示すように、主制御クロック回路５３から主制御ＣＰＵ５１にクロック信号が入力される毎に「０」から「１９９」まで繰り返し１ずつ加算した数値が格納される変動パターン先読みカウンタ６６が設けられる。当該変動パターン先読みカウンタ６６に格納された値は、変動パターン選択カウンタ６１に格納された値と常に同一の値となる。
【００５１】
また、主制御ＲＡＭ５４には、図５に示すように、各種のカウンタのカウンタ値が適宜に記憶される複数のカウンタ値記憶エリア６７が設けられる。
【００５２】
また、主制御ＲＡＭ５４には、図５に示すように、大当り遊技状態であるか否かを示す大当り遊技状態フラグ６８（条件装置）が設けられる。大当り遊技状態フラグ６８は、大当り遊技状態でない場合には、オフ状態（条件装置が停止）に設定される。一方、大当り遊技状態フラグ６８は、大当り遊技状態である場合には、オン状態（条件装置が作動）に設定される。
【００５３】
また、主制御ＲＡＭ５４には、図５に示すように、大入賞装置２４が作動中であるか否かを示す大入賞装置作動フラグ６９が設けられる。大入賞装置作動フラグ６９は、大入賞装置２４が作動中でない場合には、オフ状態に設定される。一方、大入賞装置作動フラグ６９は、大入賞装置２４が作動中である場合には、オン状態に設定される。
【００５４】
また、主制御ＲＡＭ５４には、図５に示すように、特別図柄表示装置２６に表示された特別図柄４１が変動中であるか否かを示す特別図柄変動表示フラグ７０が設けられる。特別図柄変動表示フラグ７０は、特別図柄４１が変動中でない場合には、オフ状態に設定される。一方、特別図柄変動表示フラグ７０は、特別図柄４１が変動中である場合には、オン状態に設定される。
【００５５】
また、主制御ＲＡＭ５４には、図５に示すように、特別図柄表示装置２６に表示された特別図柄４１が停止図柄表示時間中であるか否かを示す特別図柄停止図柄表示フラグ７１が設けられる。特別図柄停止図柄表示フラグ７１は、特別図柄表示装置２６に表示された特別図柄４１が停止図柄表示時間中でない場合には、オフ状態に設定される。一方、特別図柄停止図柄表示フラグ７１は、特別図柄表示装置２６に表示された特別図柄４１が停止図柄表示時間中である場合には、オン状態に設定される。
【００５６】
また、主制御ＲＯＭ５５には、図６に示すように、大当り判定テーブル記憶エリア７３が設けられる。大当り判定テーブル記憶エリア７３には、大当り判定テーブル７６が格納される。大当り判定テーブル７６とは、大当りカウンタ６０のカウンタ値に基づいて特別図柄遊技の大当り判定の結果が大当りであるか否かの判定に使用されるものである。
【００５７】
大当り判定テーブル７６は、図７に示すように、大当りカウンタ６０のカウンタ値を示す「カウンタ値」と、この「カウンタ値」に対応する「判定結果」と、により構成される。なお、本実施形態では、大当りカウンタ６０のカウンタ値が「７」である場合に、判定結果が大当りとされ、カウンタ値がそれ以外である場合に、判定結果がハズレとされる。つまり、特別図柄遊技の大当り判定の結果が大当りであると判定される確率は、１／２００に設定されている。
【００５８】
また、主制御ＲＯＭ５５には、図６に示すように、大当り変動パターン選択テーブル記憶エリア７４が設けられる。大当り変動パターン選択テーブル記憶エリア７４には、大当り変動パターン選択テーブル７７が格納される。大当り変動パターン選択テーブル７７とは、特別図柄遊技の大当り判定の結果が大当りであると判定された場合に、変動パターン選択カウンタ６１のカウンタ値に基づいて変動パターンを選択する際に使用されるものである。
【００５９】
大当り変動パターン選択テーブル７７は、図８に示すように、変動パターン選択カウンタ６１のカウンタ値を示す「カウンタ値」と、この「カウンタ値」に対応する「変動パターン」と、により構成される。なお、本実施形態では、各変動パターンに対応するカウンタ値が予め設定されることによって、各変動パターンが選択される確率が適宜設定されている。
なお、本実施形態においては、大当り変動パターン選択テーブル７７の具体的な内容として変動パターンＥから変動パターンＧまでを図示しているが、大当り変動パターン選択テーブル７７はその他の変動パターン（不図示）も有している。
【００６０】
また、主制御ＲＯＭ５５には、図６に示すように、ハズレ変動パターン選択テーブル記憶エリア７５が設けられる。ハズレ変動パターン選択テーブル記憶エリア７５には、ハズレ変動パターン選択テーブル７８が格納される。ハズレ変動パターン選択テーブル７８とは、装飾図柄遊技の結果がハズレであると判定された場合に（特別図柄遊技がハズレであると判定された場合に）、変動パターン選択カウンタ６１のカウンタ値に基づいて変動パターンを選択する際に使用されるものである。
【００６１】
ハズレ変動パターン選択テーブル７８は、図９に示すように、変動パターン選択カウンタ６１のカウンタ値を示す「カウンタ値」と、この「カウンタ値」に対応する「変動パターン」と、により構成される。なお、本実施形態では、各変動パターンに対応するカウンタ値が予め設定されることによって、各変動パターンが選択される確率が適宜設定されている。
なお、本実施形態においては、ハズレ変動パターン選択テーブル７８の具体的な内容として変動パターンＡから変動パターンＤまでを図示しているが、ハズレ変動パターン選択テーブル７８はその他の変動パターン（不図示）も有している。
【００６２】
次に、主として遊技の演出動作を制御するサブ制御回路８０の構成について、図４、及び図１０から図１２を用いて説明する。
【００６３】
サブ制御回路８０は、図４に示すように、主として、サブ制御ＣＰＵ８１と、サブ制御ＲＯＭ８５と、サブ制御ＲＡＭ８４と、サブ制御入出力回路（Ｉ／Ｏ）８２と、により構成される。
これらのサブ制御ＣＰＵ８１とサブ制御ＲＯＭ８５とサブ制御ＲＡＭ８４とサブ制御入出力回路（Ｉ／Ｏ）８２とは、バスによって相互に接続されている。サブ制御ＲＯＭ８５には、制御プログラムや各種の制御処理に使用される制御データ等が予め記憶されている。サブ制御ＲＡＭ８４には、サブ制御ＣＰＵ８１による処理事項が一時的に記憶されている。そして、サブ制御ＣＰＵ８１は、サブ制御ＲＡＭ８４をワークエリアとし、サブ制御ＲＯＭ８５に予め記憶されている制御プログラムや各種の制御データ等に基づいて制御動作を実行する。サブ制御ＣＰＵ８１には、サブ制御クロック回路８３が接続される。サブ制御クロック回路８３は、クロック信号を生成し、当該クロック信号が所定周期（例えば、４ｍｓ）毎にサブ制御ＣＰＵ８１に入力される。
【００６４】
サブ制御入出力回路（Ｉ／Ｏ）８２は、外部にて出力された各種の信号の受信部として、主制御回路５０の主制御入出力回路（Ｉ／Ｏ）５２等と、電気的に接続されている。また、サブ制御入出力回路（Ｉ／Ｏ）８２は、サブ制御ＣＰＵ８１から発信された各種の信号（コマンド）の送信部として、表示制御回路１００の表示制御入出力回路（Ｉ／Ｏ）１０２等と、電気的に接続されている。
【００６５】
また、サブ制御ＲＡＭ８４には、図１０に示すように、サブ制御クロック回路８３からサブ制御ＣＰＵ８１にクロック信号が入力される毎に「０」から「９９」まで繰り返し１ずつ加算した数値が格納されるサブ制御変動パターン選択カウンタ８６が設けられる。
【００６６】
また、サブ制御ＲＡＭ８４には、図１０に示すように、サブ制御クロック回路８３からサブ制御ＣＰＵ８１にクロック信号が入力される毎に「０」から「９９」まで繰り返し１ずつ加算した数値が格納される保留演出パターン選択カウンタ８７が設けられる。
【００６７】
また、サブ制御ＲＯＭ８５には、図１１に示すように、演出内容選択テーブル記憶エリア９０が設けられる。演出内容選択テーブル記憶エリア９０には、演出内容選択テーブル９１が格納される。演出内容選択テーブル９１とは、主制御回路５０により選択された変動パターンと、当該変動パターンがサブ制御回路８０に受信された際のサブ制御変動パターン選択カウンタ８６のカウンタ値とに基づいて演出パターンを選択する際に使用されるものである。
【００６８】
演出内容選択テーブル９１は、図１２に示すように、変動パターンと、サブ制御変動パターン選択カウンタ８６のカウンタ値を示す「カウンタ値」（具体的な値は図示しない）と、この「カウンタ値」に対応する「演出パターン」と、により構成される。
ここで、「演出パターン」とは、装飾図柄表示装置２７の液晶表示部４２に表示される装飾図柄４３・４３・４３の演出内容を設定するものである。なお、「演出パターン」は、その内容に応じて、「完全ハズレ」、「擬似１リーチハズレ」、「擬似２リーチハズレ」、「擬似３リーチハズレ」、「擬似１リーチ大当り」、「擬似２リーチ大当り」、「擬似３リーチ大当り」等に区分される。
【００６９】
「完全ハズレ」とは、擬似連演出及びリーチ演出がなく装飾図柄遊技の結果がハズレであると報知される演出内容である。また、「擬似１リーチハズレ」とは、擬似連（擬似連演出）が１セット行われた後にリーチ演出が行われ、装飾図柄遊技の結果がハズレであると報知される演出内容である。また、「擬似２リーチハズレ」とは、擬似連が２セット行われた後にリーチ演出が行われ、装飾図柄遊技の結果がハズレであると報知される演出内容である。また、「擬似３リーチハズレ」とは、擬似連が３セット行われた後にリーチ演出が行われ、装飾図柄遊技の結果がハズレであると報知される演出内容である。
【００７０】
また、「擬似１リーチ大当り」とは、擬似連が１セット行われた後にリーチ演出が行われ、装飾図柄遊技の結果が大当りであると報知される演出内容である。また、「擬似２リーチ大当り」とは、擬似連が２セット行われた後にリーチ演出が行われ、装飾図柄遊技の結果が大当りであると報知される演出内容である。また、「擬似３リーチ大当り」とは、擬似連が３セット行われた後にリーチ演出が行われ、装飾図柄遊技の結果が大当りであると報知される演出内容である。
【００７１】
なお、当該演出内容選択テーブル９１においては、各変動パターンとカウンタ値との組み合わせによって、各演出パターンが選択される確率が適宜設定されている。但し本実施形態においては、説明を簡略化するため、各変動パターンと各演出パターンとが１対１で対応しているものとする。例えば、変動パターンＡが選択された場合、カウンタ値にかかわらず演出パターンＡが選択されることになる。
【００７２】
また、サブ制御ＲＯＭ８５には、図１１に示すように、大当り先読みテーブル記憶エリア９２が設けられる。大当り先読みテーブル記憶エリア９２には、大当り先読みテーブル９３が格納される。大当り先読みテーブル９３とは、大当り先読みカウンタ６５のカウンタ値に基づいて特別図柄遊技の大当り判定の結果が大当りとなるか否かの判定（先読み）に使用されるものである。
【００７３】
大当り先読みテーブル９３は、図１３に示すように、大当り先読みカウンタ６５のカウンタ値を示す「カウンタ値」と、この「カウンタ値」に対応する「大当り先読み結果」と、により構成される。なお、本実施形態では、大当り先読みカウンタ６５のカウンタ値が「７」である場合に、大当り先読み結果が大当りとされ、カウンタ値がそれ以外である場合に、大当り先読み結果がハズレとされる。ここで、大当り先読みカウンタ６５のカウンタ値及び大当り先読みテーブル９３の構成は、大当りカウンタ６０のカウンタ値及び大当り判定テーブル７６の構成（図７等参照）とそれぞれ同一である。このため、大当り先読みテーブル９３を用いた先読みの結果が大当りである場合、大当り判定テーブル７６を用いた大当り判定の結果も大当りとなり、先読みの結果がハズレである場合、大当り判定の結果もハズレとなる。
【００７４】
また、サブ制御ＲＯＭ８５には、図１１に示すように、大当り変動パターン先読みテーブル記憶エリア９４が設けられる。大当り変動パターン先読みテーブル記憶エリア９４には、大当り変動パターン先読みテーブル９５が格納される。大当り変動パターン先読みテーブル９５とは、特別図柄遊技の大当りの先読み結果が大当りであると判定された場合に、変動パターン先読みカウンタ６６のカウンタ値に基づいて変動パターンを先読みする際に使用されるものである。
【００７５】
大当り変動パターン先読みテーブル９５は、図１４に示すように、変動パターン先読みカウンタ６６のカウンタ値を示す「カウンタ値」と、この「カウンタ値」に対応する「変動パターン先読み結果」と、により構成される。なお、本実施形態では、各変動パターン先読み結果に対応するカウンタ値が予め設定されることによって、各変動パターン先読み結果が選択される確率が適宜設定されている。ここで、変動パターン先読みカウンタ６６のカウンタ値及び大当り変動パターン先読みテーブル９５の構成は、変動パターン選択カウンタ６１のカウンタ値及び大当り変動パターン選択テーブル７７の構成（図８等参照）とそれぞれ同一である。このため、大当り変動パターン先読みテーブル９５を用いた先読みの結果（変動パターン）は、大当り変動パターン選択テーブル７７を用いて選択される変動パターンと同一となる。
【００７６】
また、サブ制御ＲＯＭ８５には、図１１に示すように、ハズレ変動パターン先読みテーブル記憶エリア９６が設けられる。ハズレ変動パターン先読みテーブル記憶エリア９６には、ハズレ変動パターン先読みテーブル９７が格納される。ハズレ変動パターン先読みテーブル９７とは、特別図柄遊技の大当りの先読み結果がハズレであると判定された場合に、変動パターン先読みカウンタ６６のカウンタ値に基づいて変動パターンを先読みする際に使用されるものである。
【００７７】
ハズレ変動パターン先読みテーブル９７は、図１５に示すように、変動パターン先読みカウンタ６６のカウンタ値を示す「カウンタ値」と、この「カウンタ値」に対応する「変動パターン先読み結果」と、により構成される。なお、本実施形態では、各変動パターン先読み結果に対応するカウンタ値が予め設定されることによって、各変動パターン先読み結果が選択される確率が適宜設定されている。ここで、変動パターン先読みカウンタ６６のカウンタ値及びハズレ変動パターン先読みテーブル９７の構成は、変動パターン選択カウンタ６１のカウンタ値及びハズレ変動パターン選択テーブル７８の構成（図９等参照）とそれぞれ同一である。このため、ハズレ変動パターン先読みテーブル９７を用いた先読みの結果（変動パターン）は、ハズレ変動パターン選択テーブル７８を用いて選択される変動パターンと同一となる。
【００７８】
また、サブ制御ＲＯＭ８５には、図１１に示すように、保留演出内容選択テーブル記憶エリア９８が設けられる。保留演出内容選択テーブル記憶エリア９８には、保留演出内容選択テーブル９９が格納される。保留演出内容選択テーブル９９とは、サブ制御回路８０により先読みされた変動パターンと、保留演出パターン選択カウンタ８７のカウンタ値とに基づいて保留図柄１５０・１５０・・・の演出内容（保留演出内容）を選択する際に使用されるものである。
【００７９】
保留演出内容選択テーブル９９は、図１６に示すように、先読みされた変動パターンと、保留演出パターン選択カウンタ８７のカウンタ値を示す「カウンタ値」（具体的な値は図示しない）と、この「カウンタ値」に対応する「保留演出パターン」と、により構成される。
ここで、「保留演出パターン」とは、装飾図柄表示装置２７の液晶表示部４２に表示される保留図柄１５０・１５０・・・を用いた保留演出内容（福引券、及び福引を実行する様子を模した演出の内容）を設定するものである。なお、保留図柄１５０・１５０・・・を用いた保留演出内容は、「福引券１枚」と、「福引券２枚」と、「福引券３枚」と、「福引券なし」と、に区分される。
【００８０】
「福引券１枚」とは、保留図柄１５０（後述する第二保留図柄１５０Ｂ）を用いて１枚の福引券を表示すると共に、福引を１回実行する様子を表示する演出内容である。また、「福引券２枚」とは、第二保留図柄１５０Ｂを用いて２枚の福引券を表示すると共に、福引を２回実行する様子を表示する演出内容である。また、「福引券３枚」とは、第二保留図柄１５０Ｂを用いて３枚の福引券を表示すると共に、福引を３回実行する様子を表示する演出内容である。また、「福引券なし」は、保留図柄１５０を用いて福引券を表示せず、また福引を実行する様子を表示しない演出内容である。
【００８１】
なお、当該保留演出内容選択テーブル９９においては、先読みされた各変動パターンとカウンタ値との組み合わせによって、各保留演出パターンが選択される確率が適宜設定されている。但し本実施形態においては、説明を簡略化するため、先読みされた各変動パターンと各保留演出パターンとが１対１で対応しているものとする。例えば、変動パターンＡが先読みされた場合、カウンタ値にかかわらず保留演出パターンＡが選択されることになる。
【００８２】
次に、主として装飾図柄表示装置２７の液晶表示部４２の表示を制御する表示制御回路１００の構成について、図４を用いて説明する。
【００８３】
表示制御回路１００は、図４に示すように、主として、表示制御ＣＰＵ１０１と、表示制御ＲＯＭ１０５と、表示制御ＲＡＭ１０４と、ＶＤＰ１０６と、ＶＲＯＭ１０７と、ＶＲＡＭ１０８と、表示制御入出力回路（Ｉ／Ｏ）１０２と、により構成される。
これらの表示制御ＣＰＵ１０１と表示制御ＲＯＭ１０５と表示制御ＲＡＭ１０４とＶＤＰ１０６とＶＲＯＭ１０７とＶＲＡＭ１０８と表示制御入出力回路（Ｉ／Ｏ）１０２とは、バスによって相互に接続されている。表示制御ＲＯＭ１０５には、制御プログラムや各種の制御処理に使用される制御データ等が予め記憶されている。表示制御ＲＡＭ１０４には、表示制御ＣＰＵ１０１による処理事項が一時的に記憶されている。ＶＲＯＭ１０７には、表示プログラムや各種の表示処理に使用される表示データ等が予め記憶されている。ＶＲＡＭ１０８には、ＶＤＰ１０６による処理事項が一時的に記憶されている。なお、表示制御ＣＰＵ１０１には、表示制御クロック回路１０３が接続される。表示制御クロック回路１０３は、クロック信号を生成し、当該クロック信号が所定周期（例えば、４ｍｓ）毎に表示制御ＣＰＵ１０１に入力される。
【００８４】
表示制御ＣＰＵ１０１は、表示制御ＲＡＭ１０４をワークエリアとし、サブ制御ＣＰＵ８１から発信された各種の信号（コマンド）に基づいて表示制御ＲＯＭ１０５に予め記憶されている制御プログラムや各種の制御データ等に基づいた信号（コマンド）を設定し、ＶＤＰ１０６に出力する。ＶＤＰ１０６は、表示制御ＣＰＵ１０１からの信号（コマンド）に応じた表示データをＶＲＯＭ１０７から選択し、ＬＣＤ回路１０９を介して装飾図柄表示装置２７に送信する。
【００８５】
表示制御入出力回路（Ｉ／Ｏ）１０２は、外部にて出力された各種の信号の受信部として、サブ制御回路８０のサブ制御入出力回路（Ｉ／Ｏ）８２等と、電気的に接続されている。また、表示制御入出力回路（Ｉ／Ｏ）１０２は、ＶＤＰ１０６から発信された各種の信号（コマンド）の送信部として、ＬＣＤ回路１０９等と、電気的に接続されている。
【００８６】
なお、「表示データ」とは、特別図柄遊技の大当り判定の結果についての予告演出、装飾図柄４３・４３・４３の変動（装飾図柄遊技）、特別図柄遊技の保留回数に応じた保留図柄１５０・１５０・・・、背景画面、大当り種類の設定等を表示する複数のビデオデータ（動画データ）や、表示制御ＣＰＵ１０１からの信号（コマンド）に応じた前記ビデオデータの表示位置や表示タイミング等に関するデータを指すものである。つまり、ＶＤＰ１０６は、表示制御ＣＰＵ１０１からの信号（コマンド）に応じて、例えば装飾図柄４３・４３・４３の変動と共に予告演出を表示したり、擬似連演出を表示する等、大当り遊技状態への移行を想起させるような演出を装飾図柄表示装置２７の液晶表示部４２に表示して、遊技者の興趣を高めることができる。
【００８７】
次に、遊技機の遊技の流れについて、図１７のフローチャートを用いて簡単に説明する。
【００８８】
まず、ステップＳ００１において、遊技球が始動ゲート２３を通過した場合に、普通図柄遊技が行われる。普通図柄遊技では、始動ゲート２３に遊技球が通過した際に、普通図柄遊技の当り判定が行われる。普通図柄遊技の当り判定の結果は、普通図柄表示装置２５に表示された普通図柄３９によって遊技者に報知される。
【００８９】
ステップＳ００２において、ステップＳ００１における普通図柄遊技の当り判定の結果が当りであると、普通電動役物（可変入賞装置２２）が作動して普通電動役物遊技が行われる。普通電動役物（可変入賞装置２２）が作動して開放状態になると、始動口２９に遊技球が入賞可能となる。
【００９０】
ステップＳ００３において、ステップＳ００２における始動口２９に遊技球が入賞すると、特別図柄遊技が行われる。特別図柄遊技では、始動口２９に遊技球が入賞した際に、特別図柄遊技の大当り判定が行われる。特別図柄遊技の大当り判定の結果は、特別図柄表示装置２６に表示された特別図柄４１によって遊技者に報知される。
【００９１】
ステップＳ００４において、ステップＳ００３における特別図柄遊技の大当り判定が行われた後に、装飾図柄遊技が行われる。装飾図柄遊技では、特別図柄遊技の大当り判定の結果に応じた当り判定が行われる。装飾図柄遊技の結果は、装飾図柄表示装置２７の液晶表示部４２に表示された装飾図柄４３・４３・４３によって遊技者に報知される。
なお、装飾図柄遊技では、当り判定の結果が遊技者に報知される前に、装飾図柄遊技の結果が当りとなって大当り遊技状態への移行を想起させるような予告演出が装飾図柄表示装置２７の液晶表示部４２に表示される。
【００９２】
ステップＳ００５において、ステップＳ００３における特別図柄遊技の大当り判定の結果が大当りであると、ステップＳ００４における装飾図柄遊技の結果が報知された後に、特別電動役物（大入賞装置２４）が作動して、特別電動役物遊技が行われる。特別電動役物（大入賞装置２４）が作動すると、大入賞口３４に遊技球が入賞可能となる。
【００９３】
次に、主制御回路５０の特別図柄遊技の処理について、図１８及び図１９のフローチャートを用いて説明する。
【００９４】
ステップＳ１０１において、主制御ＣＰＵ５１は、始動口２９に遊技球が入賞したか否かを判定する。
主制御ＣＰＵ５１は、始動口２９に遊技球が入賞したと判定した場合、つまり主制御ＣＰＵ５１が始動口センサ３２の始動口入賞信号を受信した場合には、ステップＳ１０２へ移行する。
一方、主制御ＣＰＵ５１は、始動口２９に遊技球が入賞していないと判定した場合、つまり主制御ＣＰＵ５１が始動口センサ３２の始動口入賞信号を受信していない場合には、ステップＳ１０４へ移行する。
【００９５】
ステップＳ１０２において、主制御ＣＰＵ５１は、特別図柄遊技の（変動）保留回数が８回以上であるか否かを判定する。
主制御ＣＰＵ５１は、特別図柄遊技の（変動）保留回数が８回以上であると判定した場合、つまり特図変動保留回数カウンタ６４のカウンタ値が「８」である場合には、ステップＳ１０４へ移行する。
一方、主制御ＣＰＵ５１は、特別図柄遊技の（変動）保留回数が８回以上でない判定した場合、つまり特図変動保留回数カウンタ６４のカウンタ値が「８」でない場合には、ステップＳ１０３へ移行する。
【００９６】
ステップＳ１０３において、主制御ＣＰＵ５１は、現在の大当りカウンタ６０のカウンタ値、変動パターン選択カウンタ６１のカウンタ値、大当り先読みカウンタ６５のカウンタ値及び変動パターン先読みカウンタ６６のカウンタ値を読み出して、適宜のカウンタ値記憶エリア６７に格納する。
主制御ＣＰＵ５１は、ステップＳ１０３の処理を行った後、ステップＳ１０４へ移行する。
【００９７】
ステップＳ１０４において、主制御ＣＰＵ５１は、条件装置が作動中であるか否かを判定する。
なお、条件装置とは、役物連続作動装置が作動するための条件となる装置である。条件装置は、特別図柄４１が予め設定された所定の当り図柄で停止されると作動を開始する。条件装置の作動開始によって役物連続作動装置が作動し、これによって遊技状態が大当り遊技状態へ移行する。
主制御ＣＰＵ５１は、条件装置が作動中である場合、つまり大当り遊技状態フラグ６８がオン状態である場合には、主制御回路５０の特別図柄遊技の処理を、図１７のフローチャートに戻す。
一方、主制御ＣＰＵ５１は、条件装置が作動中でない場合、つまり大当り遊技状態フラグ６８がオフ状態である場合には、ステップＳ１０５へ移行する。
【００９８】
ステップＳ１０５において、主制御ＣＰＵ５１は、特別図柄表示装置２６に表示された特別図柄４１が変動中であるか否かを判定する。
主制御ＣＰＵ５１は、特別図柄表示装置２６に表示された特別図柄４１が変動中である場合、つまり特別図柄変動表示フラグ７０がオン状態である場合には、ステップＳ１１３へ移行する。
一方、主制御ＣＰＵ５１は、特別図柄表示装置２６に表示された特別図柄４１が変動中でない場合、つまり特別図柄変動表示フラグ７０がオフ状態である場合には、ステップＳ１０６へ移行する。
【００９９】
ステップＳ１０６において、主制御ＣＰＵ５１は、特別図柄表示装置２６に表示された特別図柄４１が停止図柄表示時間中であるか否かを判定する。
主制御ＣＰＵ５１は、特別図柄表示装置２６に表示された特別図柄４１が停止図柄表示時間中である場合、つまり特別図柄停止図柄表示フラグ７１がオン状態である場合には、ステップＳ１１７へ移行する。
一方、主制御ＣＰＵ５１は、特別図柄表示装置２６に表示された特別図柄４１が停止図柄表示時間中でない場合、つまり特別図柄停止図柄表示フラグ７１がオン状態である場合には、ステップＳ１０７へ移行する。
【０１００】
ステップＳ１０７において、主制御ＣＰＵ５１は、特別図柄遊技の（変動）保留回数（すなわち、特別図柄遊技の大当り判定を行う権利の回数）が０回であるか否かを判定する。
主制御ＣＰＵ５１は、特別図柄遊技の（変動）保留回数が０回であると判定した場合、つまり特図変動保留回数カウンタ６４のカウンタ値が「０」である場合には、主制御回路５０の特別図柄遊技の処理を、図１７のフローチャートに戻す。
一方、主制御ＣＰＵ５１は、特別図柄遊技の（変動）保留回数が０回でないと判定した場合、つまり特図変動保留回数カウンタ６４のカウンタ値が「０」でない場合には、ステップＳ１０８へ移行する。
【０１０１】
ステップＳ１０８において、主制御ＣＰＵ５１は、ステップＳ１０３において適宜のカウンタ値記憶エリア６７に格納された大当り先読みカウンタ６５のカウンタ値及び変動パターン先読みカウンタ６６のカウンタ値に関する信号をサブ制御回路８０へ送信する。
主制御ＣＰＵ５１は、ステップＳ１０８の処理を行った後、ステップＳ１０９へ移行する。
【０１０２】
ステップＳ１０９において、主制御ＣＰＵ５１は、特別図柄遊技の大当り判定を行う。
主制御ＣＰＵ５１は、ステップＳ１０３において適宜のカウンタ値記憶エリア６７に格納された大当りカウンタ６０のカウンタ値と、大当り判定テーブル記憶エリア７３に記憶された大当り判定テーブル７６において当該カウンタ値に対応する判定結果と、により特別図柄遊技の大当り判定の結果が大当りであるか否かを判定する。そして、特別図柄遊技の大当り判定の結果が大当りであると判定すると、大当り遊技状態フラグ６８をオフ状態からオン状態に設定する。
このように本実施形態においては、遊技データである大当り判定の結果を、大当りカウンタ６０及び大当り判定テーブル７６を用いて抽選（判定）することにより取得している。
主制御ＣＰＵ５１は、ステップＳ１０９の処理を行った後、ステップＳ１１０へ移行する。
【０１０３】
ステップＳ１１０において、主制御ＣＰＵ５１は、変動パターン（変動時間）の選択を行う。
なお、この変動パターンの選択についての詳細な説明は後述する。
主制御ＣＰＵ５１は、ステップＳ１１０の処理を行った後、ステップＳ１１１へ移行する。
【０１０４】
ステップＳ１１１において、主制御ＣＰＵ５１は、ステップＳ１１０において選択された変動パターン（変動時間）に関する信号をサブ制御回路８０へ送信する。
主制御ＣＰＵ５１は、ステップＳ１１１の処理を行った後、ステップＳ１１２へ移行する。
【０１０５】
ステップＳ１１２において、主制御ＣＰＵ５１は、特別図柄表示装置２６に表示された特別図柄４１の変動を開始させる。
主制御ＣＰＵ５１は、ステップＳ１１２の処理を行った後、主制御回路５０の特別図柄遊技の処理を、図１７のフローチャートに戻す。
【０１０６】
また、ステップＳ１０５から移行されたステップＳ１１３において、主制御ＣＰＵ５１は、特別図柄４１の変動時間が予め設定された所定の時間（特別図柄変動時間）を経過したか否かを判定する。
主制御ＣＰＵ５１は、特別図柄４１の変動時間が特別図柄変動時間を経過した場合、つまり特図用タイマカウンタ６２のカウンタ値がステップＳ１１０において選択された変動パターンを経過した場合には、ステップＳ１１４へ移行する。
一方、主制御ＣＰＵ５１は、特別図柄４１の変動時間が特別図柄変動時間を経過していない場合、つまり特図用タイマカウンタ６２のカウンタ値がステップＳ１１０において選択された変動パターンを経過していない場合には、主制御回路５０の特別図柄遊技の処理を、図１７のフローチャートに戻す。
【０１０７】
ステップＳ１１４において、主制御ＣＰＵ５１は、確定信号をサブ制御回路８０へ送信する。
主制御ＣＰＵ５１は、ステップＳ１１４の処理を行った後、ステップＳ１１５へ移行する。
【０１０８】
ステップＳ１１５において、主制御ＣＰＵ５１は、特別図柄表示装置２６に表示された特別図柄４１の変動を停止させる。
主制御ＣＰＵ５１は、ステップＳ１１５の処理を行った後、ステップＳ１１６へ移行する。
【０１０９】
ステップＳ１１６において、主制御ＣＰＵ５１は、変動を停止した特別図柄４１の表示時間（特別図柄停止図柄表示時間）を設定する。
主制御ＣＰＵ５１は、ステップＳ１１６の処理を行った後、ステップＳ１１７へ移行する。
【０１１０】
ステップＳ１１７において、主制御ＣＰＵ５１は、変動を停止した特別図柄４１の表示時間が、ステップＳ１１６において設定された特別図柄停止図柄表示時間を経過したか否かを判定する。
主制御ＣＰＵ５１は、変動を停止した特別図柄４１の表示時間が特別図柄停止図柄表示時間を経過した場合、つまり特図用タイマカウンタ６２のカウンタ値が、ステップＳ１１６において設定された特別図柄停止図柄表示時間を経過した場合には、ステップＳ１１８へ移行する。
一方、主制御ＣＰＵ５１は、変動を停止した特別図柄４１の表示時間が特別図柄停止図柄表示時間を経過していない場合、つまり特図用タイマカウンタ６２のカウンタ値が、ステップＳ１１６において設定された特別図柄停止図柄表示時間を経過していない場合には、特別電動役物遊技に移行する。
【０１１１】
ステップＳ１１８において、主制御ＣＰＵ５１は、変動を停止した特別図柄４１の組み合わせが条件装置を作動させることとなる図柄の組み合わせであるか否かを判定する。
主制御ＣＰＵ５１は、変動を停止した特別図柄４１の組み合わせが条件装置を作動させることとなる図柄の組み合わせである場合、つまり大当りフラグがオン状態である場合には、ステップＳ１１９へ移行する。
一方、主制御ＣＰＵ５１は、変動を停止した特別図柄４１の組み合わせが条件装置を作動させることとなる図柄の組み合わせでない場合、つまり大当りフラグがオフ状態である場合には、主制御回路５０の特別図柄遊技の処理を、図１７のフローチャートに戻す。
【０１１２】
ステップＳ１１９において、主制御ＣＰＵ５１は、条件装置の作動を開始する。
主制御ＣＰＵ５１は、ステップＳ１１９の処理を行った後、ステップＳ１２０へ移行する。
【０１１３】
ステップＳ１２０において、主制御ＣＰＵ５１は、条件装置の作動を開始に応じて役物連続作動装置の作動を開始する。
役物連続作動装置は、遊技状態を大当り遊技状態とするのに必要な装置である。役物連続装置の作動が開始されると、大当り遊技状態フラグ６８がオフ状態からオン状態とされ、遊技状態が大当り遊技状態へ移行する。
主制御ＣＰＵ５１は、ステップＳ１２０の処理を行った後、主制御回路５０の特別図柄遊技の処理を、図１７のフローチャートに戻す。
【０１１４】
次に、ステップＳ１１０における変動パターンの選択について、図２０のフローチャートを用いて詳細に説明する。
【０１１５】
ステップＳ２０１において、主制御ＣＰＵ５１は、遊技状態が大当り遊技状態であるか否かを判定する。
主制御ＣＰＵ５１は、遊技状態が大当り遊技状態である場合、つまり大当り遊技状態フラグ６８がオン状態である場合には、ステップＳ２０２へ移行する。
一方、主制御ＣＰＵ５１は、遊技状態が大当り遊技状態でない場合、つまり大当り遊技状態フラグ６８がオフ状態である場合には、ステップＳ２０３へ移行する。
【０１１６】
ステップＳ２０２において、主制御ＣＰＵ５１は、大当り変動パターン選択テーブル７７を使用して、変動パターンを選択する。
主制御ＣＰＵ５１は、ステップＳ１０３において適宜のカウンタ値記憶エリア６７に格納された変動パターン選択カウンタ６１のカウンタ値と、大当り変動パターン選択テーブル記憶エリア７４に記憶された大当り変動パターン選択テーブル７７において当該カウンタ値に対応する判定結果と、により変動パターンを選択する。
なお、本実施形態では、上述の如く、変動パターンとして「変動パターンＥ」、「変動パターンＦ」、「変動パターンＧ」等が選択される（図８参照）。
主制御ＣＰＵ５１が、ステップＳ２０２の処理を行った後、遊技状態が大当り遊技状態である場合の変動パターンの選択は終了する。
【０１１７】
ステップＳ２０３において、主制御ＣＰＵ５１は、ハズレ変動パターン選択テーブル７８を使用して、変動パターンを選択する。
主制御ＣＰＵ５１は、ステップＳ１０３において適宜のカウンタ値記憶エリア６７に格納された変動パターン選択カウンタ６１のカウンタ値と、ハズレ変動パターン選択テーブル記憶エリア７５に記憶されたハズレ変動パターン選択テーブル７８において当該カウンタ値に対応する判定結果と、により変動パターンを選択する。
なお、本実施形態では、上述の如く、変動パターンとして「変動パターンＡ」、「変動パターンＢ」、「変動パターンＣ」、「変動パターンＤ」等が選択される（図９参照）。
主制御ＣＰＵ５１が、ステップＳ２０３の処理を行った後、遊技状態が大当り遊技状態でない場合の変動パターンの選択は終了する。
【０１１８】
次に、主制御回路５０から大当り先読みカウンタ６５のカウンタ値及び変動パターン先読みカウンタ６６のカウンタ値に関する信号を受信した後の、サブ制御回路８０による大当り及び変動パターンの先読みの処理について、図２１のフローチャートを用いて説明する。
【０１１９】
ステップＳ３０１において、サブ制御ＣＰＵ８１は、主制御回路５０から大当り先読みカウンタ６５のカウンタ値及び変動パターン先読みカウンタ６６のカウンタ値に関する信号を受信したか否かを判定する。
サブ制御ＣＰＵ８１は、当該カウンタ値に関する信号を受信したと判定した場合には、ステップＳ３０２に移行する。
一方、サブ制御ＣＰＵ８１は、当該カウンタ値に関する信号を受信していないと判定した場合には、再びステップＳ３０１に移行する。
【０１２０】
ステップＳ３０２において、サブ制御ＣＰＵ８１は、特別図柄遊技の大当り判定の結果が大当りとなるか否かの判定（先読み）を行う。
サブ制御ＣＰＵ８１は、ステップＳ１０３において適宜のカウンタ値記憶エリア６７に格納された大当り先読みカウンタ６５のカウンタ値と、大当り先読みテーブル記憶エリア９２に記憶された大当り先読みテーブル９３において当該カウンタ値に対応する判定結果と、により特別図柄遊技の大当り判定の結果が大当りとなるか否かを判定（先読み）する。すなわち、特別図柄４１の変動表示の開始（ステップＳ１１２）前（ひいては、装飾図柄４３の変動表示の開始前）に（事前に）、大当り判定の結果が大当りとなるか否かを判定する。
サブ制御ＣＰＵ８１は、ステップＳ３０２の処理を行った後、ステップＳ３０３へ移行する。
【０１２１】
ステップＳ３０３において、サブ制御ＣＰＵ８１は、ステップＳ３０２において判定された大当り先読み結果が大当りであるか否（ハズレ）かを判定する。
サブ制御ＣＰＵ８１は、大当り先読み結果が大当りである場合、ステップＳ３０４へ移行する。
一方、サブ制御ＣＰＵ８１は、大当り先読み結果がハズレである場合、ステップＳ３０５へ移行する。
【０１２２】
ステップＳ３０４において、サブ制御ＣＰＵ８１は、大当り変動パターン先読みテーブル９５を使用して、変動パターンを先読みする。
サブ制御ＣＰＵ８１は、ステップＳ１０３において適宜のカウンタ値記憶エリア６７に格納された変動パターン先読みカウンタ６６のカウンタ値と、大当り変動パターン先読みテーブル記憶エリア９４に記憶された大当り変動パターン先読みテーブル９５において当該カウンタ値に対応する判定結果と、により変動パターンを先読みする。
サブ制御ＣＰＵ８１は、ステップＳ３０４の処理を行った後、ステップＳ３０６へ移行する。
【０１２３】
ステップＳ３０５において、サブ制御ＣＰＵ８１は、ハズレ変動パターン先読みテーブル９７を使用して、変動パターンを先読みする。
サブ制御ＣＰＵ８１は、ステップＳ１０３において適宜のカウンタ値記憶エリア６７に格納された変動パターン先読みカウンタ６６のカウンタ値と、ハズレ変動パターン先読みテーブル記憶エリア９６に記憶されたハズレ変動パターン先読みテーブル９７において当該カウンタ値に対応する判定結果と、により変動パターンを先読みする。
サブ制御ＣＰＵ８１は、ステップＳ３０４の処理を行った後、ステップＳ３０６へ移行する。
【０１２４】
ステップＳ３０６において、サブ制御ＣＰＵ８１は、保留演出内容選択テーブル記憶エリア９８に記憶された保留演出内容選択テーブル９９と、保留演出パターン選択カウンタ８７のカウンタ値と、に基づいて、ステップＳ３０４又はステップＳ３０５において先読みされた変動パターンに対応する保留演出内容を選択する。
なお、上述（図１６参照）の如く、例えば、変動パターンとして「変動パターンＡ」が先読みされた場合には、保留演出パターンとして「保留演出パターンＡ」が選択され、保留演出内容として「福引券なし」が選択される。また、変動パターンとして「変動パターンＢ」が先読みされた場合には、保留演出パターンとして「保留演出パターンＢ」が選択され、保留演出内容として「福引券１枚」が選択される。また、変動パターンとして「変動パターンＣ」が先読みされた場合には、保留演出パターンとして「保留演出パターンＣ」が選択され、保留演出内容として「福引券２枚」が選択される。また、変動パターンとして「変動パターンＤ」が先読みされた場合には、保留演出パターンとして「保留演出パターンＤ」が選択され、保留演出内容として「福引券３枚」が選択される。また、変動パターンとして「変動パターンＥ」が先読みされた場合には、保留演出パターンとして「保留演出パターンＥ」が選択され、保留演出内容として「福引券１枚」が選択される。また、変動パターンとして「変動パターンＦ」が先読みされた場合には、保留演出パターンとして「保留演出パターンＦ」が選択され、保留演出内容として「福引券２枚」が選択される。また、変動パターンとして「変動パターンＧ」が先読みされた場合には、保留演出パターンとして「保留演出パターンＧ」が選択され、保留演出内容として「福引券３枚」が選択される。
サブ制御ＣＰＵ８１は、ステップＳ３０６の処理を行った後、ステップＳ３０７へ移行する。
【０１２５】
ステップＳ３０７において、サブ制御ＣＰＵ８１は、装飾図柄表示装置２７の液晶表示部４２に表示された保留図柄１５０・１５０・・・を用いた演出を行うために、ステップＳ３０６における保留演出内容の選択結果に関する信号を表示制御回路１００に送信する。
サブ制御ＣＰＵ８１は、ステップＳ３０７の処理を行った後、再びステップＳ３０１に移行する。
【０１２６】
表示制御回路１００の表示制御ＣＰＵ１０１は、上述のステップＳ３０７において送信された保留演出内容の選択結果に関する信号を受信した場合、当該信号をＶＤＰ１０６に送信する。ＶＤＰ１０６は、当該信号に応じた表示データをＶＲＯＭ１０７から選択し、ＬＣＤ回路１０９を介して装飾図柄表示装置２７に送信する。これによって、選択された保留演出内容に即して、装飾図柄表示装置２７の液晶表示部４２に表示された保留図柄１５０・１５０・・・を用いた演出を行うことができる。
なお、当該演出についての詳細な説明は後述する。
【０１２７】
次に、主制御回路５０から変動パターンに関する信号を受信した後の、サブ制御回路８０の装飾図柄遊技の処理について、図２２のフローチャートを用いて説明する。
【０１２８】
ステップＳ３５１において、サブ制御ＣＰＵ８１は、主制御回路５０にて選択された変動パターン（特別図柄変動時間）に関する信号を受信したか否かを判定する。
サブ制御ＣＰＵ８１は、主制御回路５０にて選択された変動パターンに関する信号を受信したと判定した場合には、ステップＳ３５２へ移行する。
一方、サブ制御ＣＰＵ８１は、主制御回路５０にて選択された変動パターンに関する信号を受信していないと判定した場合には、ステップＳ３５４へ移行する。
【０１２９】
ステップＳ３５２において、サブ制御ＣＰＵ８１は、演出内容選択テーブル記憶エリア９０に記憶された演出内容選択テーブル９１と、サブ制御変動パターン選択カウンタ８６のカウンタ値と、に基づいて、主制御回路５０にて選択された変動パターンに対応する演出内容を選択する。
なお、上述（図１２参照）の如く、例えば、変動パターンとして「変動パターンＡ」が選択された場合には、演出パターンとして「演出パターンＡ」が選択され、演出内容として「完全ハズレ」が選択される。また、変動パターンとして「変動パターンＢ」が選択された場合には、演出パターンとして「演出パターンＢ」が選択され、演出内容として「擬似１リーチハズレ」が選択される。また、変動パターンとして「変動パターンＣ」が選択された場合には、演出パターンとして「演出パターンＣ」が選択され、演出内容として「擬似２リーチハズレ」が選択される。また、変動パターンとして「変動パターンＤ」が選択された場合には、演出パターンとして「演出パターンＤ」が選択され、演出内容として「擬似３リーチハズレ」が選択される。また、変動パターンとして「変動パターンＥ」が選択された場合には、演出パターンとして「演出パターンＥ」が選択され、演出内容として「擬似１リーチ大当り」が選択される。また、変動パターンとして「変動パターンＦ」が選択された場合には、演出パターンとして「演出パターンＦ」が選択され、演出内容として「擬似２リーチ大当り」が選択される。また、変動パターンとして「変動パターンＧ」が選択された場合には、演出パターンとして「演出パターンＧ」が選択され、演出内容として「擬似３リーチ大当り」が選択される。
サブ制御ＣＰＵ８１は、ステップＳ３５２の処理を行った後、ステップＳ３５３へ移行する。
【０１３０】
ステップＳ３５３において、サブ制御ＣＰＵ８１は、装飾図柄表示装置２７の液晶表示部４２に表示された装飾図柄４３・４３・４３の変動を開始するために、ステップＳ３５２における演出内容の選択結果に関する信号を表示制御回路１００に送信する。
サブ制御ＣＰＵ８１は、ステップＳ３５３の処理を行った後、ステップＳ３５４へ移行する。
【０１３１】
ステップＳ３５４において、サブ制御ＣＰＵ８１は、主制御回路５０から確定信号を受信したか否かを判定する。
サブ制御ＣＰＵ８１は、主制御回路５０から確定信号を受信したと判定した場合には、ステップＳ３５５へ移行する。
一方、サブ制御ＣＰＵ８１は、主制御回路５０から確定信号を受信していないと判定した場合には、再びステップＳ３５１へ移行する。
【０１３２】
ステップＳ３５５において、サブ制御ＣＰＵ８１は、装飾図柄表示装置２７の液晶表示部４２に表示された装飾図柄４３・４３・４３の変動を停止するために、主制御回路５０からの確定信号の受信に関する信号（装飾図柄４３・４３・４３の変動の停止命令）を表示制御回路１００に送信する。
サブ制御ＣＰＵ８１は、ステップＳ３５５の処理を行った後、再びステップＳ３５１へ移行する。
【０１３３】
表示制御回路１００の表示制御ＣＰＵ１０１は、上述のステップＳ３５３において送信された演出内容の選択結果に関する信号を受信した場合、当該信号をＶＤＰ１０６に送信する。ＶＤＰ１０６は、当該信号に応じた表示データをＶＲＯＭ１０７から選択し、ＬＣＤ回路１０９を介して装飾図柄表示装置２７に送信する。これによって、選択された演出内容に即して、装飾図柄表示装置２７の液晶表示部４２に表示された装飾図柄４３・４３・４３の演出を行うことができる。
【０１３４】
また、表示制御回路１００の表示制御ＣＰＵ１０１は、上述のステップＳ３５５において送信された信号を受信した場合、当該信号をＶＤＰ１０６に送信する。ＶＤＰ１０６は、当該信号をＬＣＤ回路１０９を介して装飾図柄表示装置２７に送信する。これによって、装飾図柄表示装置２７の液晶表示部４２に表示された装飾図柄４３・４３・４３の変動の停止を表示することができる。
【０１３５】
次に、上述のステップＳ３０７において、表示制御ＣＰＵ１０１から保留図柄１５０・１５０・・・の保留演出内容の選択結果に関する信号を受信した後の、ＶＤＰ１０６による表示データの処理（動画データの表示処理）について、図２３から図３２までを用いて説明する。
【０１３６】
なお、保留図柄１５０・１５０・・・の演出とは、特別図柄遊技が保留されている場合に当該保留回数を遊技者に示すと共に、選択された保留演出内容に即して福引券を模した図柄を表示させ、さらに福引が実行される様子を表示させる演出である。
以下では説明の便宜上、特別図柄遊技の保留回数は８回であり、特別図柄４１の変動（装飾図柄４３・４３・４３の変動）に応じて１回ずつ減算されていく際の保留図柄１５０・１５０・・・の演出について説明する。また、当該説明の間に、遊技球が始動口２９に入賞し、保留回数が加算されることはないものとする。
【０１３７】
まず、図２３を用いて、特別図柄遊技の保留回数が８回である場合の装飾図柄表示装置２７の液晶表示部４２の表示内容について説明する。
【０１３８】
液晶表示部４２には、前述の如く、その上端部から下端部近傍に亘って装飾図柄４３・４３・４３の変動領域が形成される。また、液晶表示部４２の下端部には、保留図柄１５０・１５０・・・を表示するための特別図柄変動保留回数表示部４５が設けられる。
【０１３９】
特別図柄変動保留回数表示部４５には、最大で８つの保留図柄１５０・１５０・・・が左右方向に並べて表示される。以下では、保留図柄１５０・１５０・・・が表示される位置を、左から順に第一表示位置Ｐ１、第二表示位置Ｐ２、第三表示位置Ｐ３、第四表示位置Ｐ４、第五表示位置Ｐ５、第六表示位置Ｐ６、第七表示位置Ｐ７及び第八表示位置Ｐ８とそれぞれ称する。
【０１４０】
第一表示位置Ｐ１から第四表示位置Ｐ４までは、特別図柄変動保留回数表示部４５の左右略中央部に左右方向に並べて設定される。第一表示位置Ｐ１から第四表示位置Ｐ４までに表示される保留図柄１５０・１５０・・・（１つ目から４つ目までの保留図柄１５０・１５０・・・）は比較的大きく表示される。
【０１４１】
第五表示位置Ｐ５から第八表示位置Ｐ８までは、特別図柄変動保留回数表示部４５の右端部近傍に左右方向に並べて設定される。第五表示位置Ｐ５から第八表示位置Ｐ８までに表示される保留図柄１５０・１５０・・・（５つ目から８つ目までの保留図柄１５０・１５０・・・）は比較的小さく表示される。
【０１４２】
保留図柄１５０は、上述のように設定された各表示位置を、右から左に順に移動する。すなわち、保留図柄１５０は、保留回数が減算される（保留図柄１５０が消化される）毎に、第八表示位置Ｐ８から第一表示位置Ｐ１に向かって順に移動する。保留図柄１５０は、第五表示位置Ｐ５から第四表示位置Ｐ４に移動する際に拡大される。
【０１４３】
第一表示位置Ｐ１の左方には、保留回数が減算される毎に保留図柄１５０が消化される保留消化領域Ｔが設定される。保留図柄１５０・１５０・・・は、最も左側（すなわち、第一表示位置Ｐ１）に配置された保留図柄１５０から順に保留消化領域Ｔに移動し、当該保留消化領域Ｔにおいて消化されることになる。
【０１４４】
保留消化領域Ｔのさらに左方には、福引が実行される様子が表示される福引表示領域Ｌが設定される。福引が実行される様子については後述する。
【０１４５】
次に、図２４を用いて、特別図柄変動保留回数表示部４５に表示される保留図柄１５０について説明する。保留図柄１５０には、球体を模した第一保留図柄１５０Ａ、並びに第二保留図柄１５０Ｂが含まれる。第一表示位置Ｐ１から第四表示位置Ｐ４までには、第一保留図柄１５０Ａ又は第二保留図柄１５０Ｂのいずれか一方が表示されることになる。また第五表示位置Ｐ５から第八表示位置Ｐ８までには、第一保留図柄１５０Ａが表示されることになる。
【０１４６】
第二保留図柄１５０Ｂは、福引券を模した図柄である。第二保留図柄１５０Ｂには、１枚の福引券を模した１枚保留図柄１５１、２枚の福引券を模した２枚保留図柄１５２及び３枚の福引券を模した３枚保留図柄１５３が含まれる。
【０１４７】
１枚保留図柄１５１は、略長方形状の福引券を模した図柄である。２枚保留図柄１５２は、福引券が２枚重なった様子を模した図柄である。３枚保留図柄１５３は、福引券が３枚重なった様子を模した図柄である。このように、第二保留図柄１５０Ｂにおいては、数字や文字ではなく図柄を用いて福引券の枚数を表示することで、遊技者に福引券が何枚あるのか（ひいては、後述する擬似連が何セット行われるのか）を感覚的に認識させることができる。
【０１４８】
表示制御ＣＰＵ１０１により選択された保留演出内容が「福引券１枚」である場合、第一表示位置Ｐ１から第四表示位置Ｐ４までにおいて、保留図柄１５０として１枚保留図柄１５１が表示される。表示制御ＣＰＵ１０１により選択された保留演出内容が「福引券２枚」である場合、第一表示位置Ｐ１から第四表示位置Ｐ４までにおいて、保留図柄１５０として２枚保留図柄１５２が表示される。表示制御ＣＰＵ１０１により選択された保留演出内容が「福引券３枚」である場合、第一表示位置Ｐ１から第四表示位置Ｐ４までにおいて、保留図柄１５０として３枚保留図柄１５３が表示される。表示制御ＣＰＵ１０１により選択された保留演出内容が「福引券なし」である場合、保留図柄１５０として第一保留図柄１５０Ａが表示される。
【０１４９】
次に、表示制御ＣＰＵ１０１により保留演出内容が選択された場合のＶＤＰ１０６の処理について説明する。なお、以下では説明の便宜上、図２６（ａ）において第八表示位置Ｐ８に表示された保留図柄１５０についての保留演出内容に着目して説明するものとし、他の保留図柄１５０・１５０・・・についての保留演出内容は考慮しない。また、以下では、当該保留図柄１５０（図２６（ａ）において第八表示位置Ｐ８に表示された保留図柄１５０）と他の保留図柄１５０・１５０・・・とを区別するため、当該保留図柄１５０を対象保留図柄１５０Ｘとも称する。
【０１５０】
まず、表示制御ＣＰＵ１０１により選択された保留演出内容が「福引券３枚」である場合のＶＤＰ１０６の処理について、図２５から図３２までを用いて説明する。この場合、第八表示位置Ｐ８には対象保留図柄１５０Ｘとして第一保留図柄１５０Ａが表示される（図２６（ａ）参照）。なお、他の保留図柄１５０・１５０・・・（第一保留図柄１５０Ａ・１５０Ａ・・・）に対応する特別図柄遊技の大当り判定の結果はハズレであるものとする。
【０１５１】
図２５のステップＳ１１０１において、ＶＤＰ１０６は、保留図柄１５０・１５０・・・（対象保留図柄１５０Ｘを含む第一保留図柄１５０Ａ・１５０Ａ・・・）をそれぞれ移動させる。具体的には、図２６（ｂ）及び図２８（ａ）に示すように、各表示位置に表示された保留図柄１５０・１５０・・・を左隣の表示位置に移動（シフト）させる。この際、第五表示位置Ｐ５から第四表示位置Ｐ４に移動した保留図柄１５０（第一保留図柄１５０Ａ）は拡大して表示される。また、第一表示位置Ｐ１に表示されていた保留図柄１５０（第一保留図柄１５０Ａ）は保留消化領域Ｔ内に移動する。第一表示位置Ｐ１から保留消化領域Ｔ内に移動した第一保留図柄１５０Ａは拡大して表示される。
【０１５２】
ＶＤＰ１０６は、図２６（ｂ）に示すように、対象保留図柄１５０Ｘが第四表示位置Ｐ４に無く（ステップＳ１１０２でＮｏ）、かつ対象保留図柄１５０Ｘが保留消化領域Ｔにも無い（ステップＳ１１０６でＮｏ）場合には、ステップＳ１１０４に移行する。
【０１５３】
ステップＳ１１０４において、ＶＤＰ１０６は、保留消化領域Ｔ内の第一保留図柄１５０Ａを消化すると共に、装飾図柄４３・４３・４３の変動を開始する。具体的には、図２７（ａ）及び図２８（ｂ）に示すように、保留消化領域Ｔ内の第一保留図柄１５０Ａを消去するのと略同時に、装飾図柄４３・４３・４３をそれぞれ変動させ始める。
【０１５４】
ステップＳ１１０５において、ＶＤＰ１０６は、装飾図柄４３・４３・４３の変動を停止させる。上述の如く、消化された第一保留図柄１５０Ａに対応する特別図柄遊技の大当り判定の結果はハズレであるため、図２８（ｃ）に示すように、装飾図柄４３・４３・４３の組み合わせはハズレの場合の組み合わせ（装飾図柄４３・４３・４３が全て同一種類の図柄とならない組み合わせ）となる。
【０１５５】
ＶＤＰ１０６は、対象保留図柄１５０Ｘが第四表示位置Ｐ４に移動するまで（ステップＳ１１０２参照）、上述のステップＳ１１０１、ステップＳ１１０４及びステップＳ１１０５の処理を繰り返す。これによって、対象保留図柄１５０Ｘは左隣の表示位置へと順に移動していく。
【０１５６】
ＶＤＰ１０６は、対象保留図柄１５０Ｘが第四表示位置Ｐ４に到達した場合（ステップＳ１１０２でＹｅｓ）には、ステップＳ１１０３に移行する。
【０１５７】
ステップＳ１１０３において、ＶＤＰ１０６は、対象保留図柄１５０Ｘを、第一保留図柄１５０Ａから第二保留図柄１５０Ｂに変化させる。すなわち、図２７（ｂ）に示すように、対象保留図柄１５０Ｘを、球体を模した図柄から福引券を模した図柄へと変化させる。上述の如く、この例においては、表示制御ＣＰＵ１０１により選択された保留演出内容が「福引券３枚」であるため、ＶＤＰ１０６は対象保留図柄１５０Ｘを３枚保留図柄１５３（３枚の福引券を模した図柄）に変化させる。
【０１５８】
このように、本実施形態においては、対象保留図柄１５０Ｘが第五表示位置Ｐ５から第八表示位置Ｐ８までに表示されている場合には、第二保留図柄１５０Ｂ（福引券）を表示させることはない。すなわち、対象保留図柄１５０Ｘが第四表示位置Ｐ４に移動した時点で、初めて当該対象保留図柄１５０Ｘが第二保留図柄１５０Ｂ（福引券）に変化する。このため遊技者は、対象保留図柄１５０Ｘが第四表示位置Ｐ４に移動した時点で、初めて当該対象保留図柄１５０Ｘが第二保留図柄１５０Ｂであることを認識することができる。
【０１５９】
ＶＤＰ１０６は、対象保留図柄１５０Ｘが保留消化領域Ｔに移動するまで（ステップＳ１１０６参照）、上述のステップＳ１１０１、ステップＳ１１０４及びステップＳ１１０５の処理を繰り返す。これによって、対象保留図柄１５０Ｘは左隣の表示位置へと順に移動していく。
【０１６０】
ＶＤＰ１０６は、対象保留図柄１５０Ｘが保留消化領域Ｔに到達した場合（ステップＳ１１０６でＹｅｓ）には、ステップＳ１１０７に移行する。
【０１６１】
ステップＳ１１０７において、ＶＤＰ１０６は、装飾図柄４３・４３・４３の変動を開始すると共に、福引が実行される様子を表示する。
【０１６２】
ここで、本実施形態において、保留内容として「福引券３枚」が選択された場合、すなわち、先読みされた変動パターンが「変動パターンＤ」又は「変動パターンＧ」である場合（図１６参照）、演出内容として「擬似３リーチハズレ」又は「擬似３リーチ大当り」が選択される（図１２参照）。すなわち、福引が３回実行される場合、擬似連演出も同じ変動回数（すなわち、３セット）だけ行われる。以下、ステップＳ１１０７の処理における福引と擬似連演出の様子について具体的に説明する。
【０１６３】
ＶＤＰ１０６は、装飾図柄４３・４３・４３の変動を開始させると共に、１回目の福引が実行される様子を表示させる。具体的には、図２９に示すように、ＶＤＰ１０６は、保留消化領域Ｔの左方に設定された福引表示領域Ｌに、第一キャラクターＣ１及び第二キャラクターＣ２を登場させる。第一キャラクターＣ１は、福引に用いられる抽選器（福引器）を模したものである。第二キャラクターＣ２は、福引器（第一キャラクターＣ１）を回す人物を模したものである。
【０１６４】
ＶＤＰ１０６は、第一キャラクターＣ１及び第二キャラクターＣ２を用いて、福引が実行される様子を表示する。すなわち、ＶＤＰ１０６は、第二キャラクターＣ２に福引器（第一キャラクターＣ１）を回転させる（図２９（ａ）参照）。またＶＤＰ１０６は、福引器（第一キャラクターＣ１）の中から抽選球Ｂが１つ外に飛び出す様子を表示する。
【０１６５】
次にＶＤＰ１０６は、抽選球Ｂを拡大して表示させる（図２９（ｂ）参照）。当該抽選球Ｂの色は、青色であるものとする。
【０１６６】
次にＶＤＰ１０６は、第一キャラクターＣ１及び第二キャラクターＣ２の上方に、所定のメッセージＭ（「チャンス！？の旅ご招待！」という文字列）を表示させる（図２９（ｃ）及び図３０（ａ）参照）。このようにして、ＶＤＰ１０６は福引によって旅行が当たる様子を模した演出を表示させることができる。この際、抽選球Ｂの色とメッセージＭの内容（特に、「チャンス！？」という文字列）によって、当該抽選球Ｂ及びメッセージＭを見た遊技者の大当りへの期待感を煽ることができる。
【０１６７】
次にＶＤＰ１０６は、変動している装飾図柄４３・４３・４３のうち、左右の装飾図柄４３・４３を上下中央部に仮停止させる（図３０（ｂ）参照）。その後、ＶＤＰ１０６は、中央の装飾図柄４３として擬似連図柄（星型の図柄）をゆっくりと上下中央部へと下降させる（図３０（ｃ）参照）。最後に、ＶＤＰ１０６は、中央の装飾図柄４３（擬似連図柄）を上下中央部に仮停止させる（図３０（ｄ）参照）。これによって、１セット目の擬似連が成立したことを遊技者に報知することができる。
【０１６８】
次にＶＤＰ１０６は、再び装飾図柄４３・４３・４３の変動を開始させると共に、２回目の福引が実行される様子を表示させる。図３１（ａ）に示すように、２回目の福引においては、１回目の福引における抽選球Ｂの色（青色）とは異なる色、具体的には緑色の抽選球Ｂが福引器（第一キャラクターＣ１）から飛び出す。また、２回目の福引においては、メッセージＭとして「大チャンスの旅ご招待！」という文字列が表示される。
【０１６９】
このように、２回目の福引における抽選球Ｂの色（緑色）は、１回目の福引における抽選球Ｂの色（青色）よりも遊技者に与える大当りへの期待感が高い色になるように設定される。また、２回目の福引におけるメッセージＭの内容（特に、「大チャンス」という文字列）は、１回目の福引におけるメッセージＭの内容（特に、「チャンス！？」という文字列）よりも遊技者に与える大当りへの期待感が高い内容になるように設定される。これによって、遊技者の大当りへの期待感を煽ることができる。
【０１７０】
次にＶＤＰ１０６は、装飾図柄４３・４３・４３を仮停止させる。すなわち、図３２（ａ）に示すように、中央の装飾図柄４３として擬似連図柄（星型の図柄）を仮停止させる。これによって、２セット目の擬似連が成立したことを遊技者に報知することができる。
【０１７１】
次にＶＤＰ１０６は、再び装飾図柄４３・４３・４３の変動を開始させると共に、３回目の福引が実行される様子を表示させる。図３１（ｂ）に示すように、３回目の福引においては、１回目及び２回目の福引における抽選球Ｂの色（青色及び緑色）とは異なる色、具体的には赤色の抽選球Ｂが福引器（第一キャラクターＣ１）から飛び出す。また、３回目の福引においては、メッセージＭとして「激アツの旅ご招待！」という文字列が表示される。
【０１７２】
このように、３回目の福引における抽選球Ｂの色（赤色）は、１回目及び２回目の福引における抽選球Ｂの色（青色及び緑色）よりも遊技者に与える大当りへの期待感が高い色になるように設定される。また、３回目の福引におけるメッセージＭの内容（特に、「激アツ」という文字列）は、２回目の福引におけるメッセージＭの内容（特に、「大チャンス」という文字列）よりも遊技者に与える大当りへの期待感が高い内容になるように設定される。これによって、遊技者の大当りへの期待感を煽ることができる。
【０１７３】
次にＶＤＰ１０６は、装飾図柄４３・４３・４３を仮停止させる。すなわち、図３２（ｂ）に示すように、中央の装飾図柄４３として擬似連図柄（星型の図柄）を仮停止させる。これによって、３セット目の擬似連が成立したことを遊技者に報知することができる。その後、ＶＤＰ１０６は、再び装飾図柄４３・４３・４３の変動を開始させる。
【０１７４】
図２５のステップＳ１１０８において、ＶＤＰ１０６は、選択された演出内容（「擬似３リーチハズレ」又は「擬似３リーチ大当り」）に応じた演出（リーチ演出）を表示させた後に、装飾図柄４３・４３・４３の変動を停止させ、確定図柄を表示させる。図３２（ｃ）には、装飾図柄遊技の結果が当り（大当り）である場合（演出内容として「擬似３リーチ大当り」が選択されていた場合）の装飾図柄４３・４３・４３の組み合わせ（装飾図柄４３・４３・４３が全て同一種類の図柄となる組み合わせ）を例示している。なお、演出内容として「擬似３リーチハズレ」が選択されていた場合には、装飾図柄４３・４３・４３の組み合わせはハズレの場合の組み合わせ（装飾図柄４３・４３・４３が全て同一種類の図柄とならない組み合わせ）となる。
【０１７５】
以上のように、保留演出内容として「福引券３枚」が選択された場合（すなわち、先読みされた変動パターンが「変動パターンＤ」又は「変動パターンＧ」である場合（図１６参照））には、演出内容として「擬似３リーチハズレ」又は「擬似３リーチ大当り」が選択されている（図１２参照）。すなわちこの場合、擬似連が３セット成立することが先読みされている。そこで、本実施形態の如く、保留図柄１５０として３枚保留図柄１５３を表示することで、福引券の枚数（３枚）を用いて、成立する擬似連のセット数（３セット）を遊技者に報知することができる。このように、先読みされた擬似連の成立数を、保留図柄１５０を用いて遊技者に事前に報知（予告）することで、当該遊技者の興趣を高めることができる。
【０１７６】
なお、本実施形態の例においては、保留演出内容として「福引券３枚」が選択された場合、擬似連は３セット（すなわち、福引券の枚数と同数）成立するものとしたが、本発明はこれに限るものではない。例えば、擬似連を、福引券の枚数以上のセット数だけ（上記の例では、４セット以上）成立させる構成とすることも可能である。このように構成することで、擬似連の成立回数（セット数）が、最低でも福引券の枚数だけ保証されることになる。したがって、遊技者は福引券の枚数を確認することで、擬似連の最低成立回数（最低限保障されている成立回数）を事前に認識することができる。
【０１７７】
また、本実施形態の例においては、保留演出内容として「福引券３枚」が選択された場合、福引が実行されるごとに出現する抽選球Ｂの色が、青色、緑色、赤色の順になる例を示したが、本発明はこれに限るものではない。例えば、福引が実行されるごとに出現する抽選球Ｂの色は、抽選によってランダムに決定されるものであっても良い。
【０１７８】
また、最後の福引（上記の例では、３回目の福引）が実行された際に出現する抽選球Ｂの色を、大当りの期待度（大当りになる確率）に応じて決定することも可能である。この場合、当該抽選球Ｂの色を用いて大当りの期待度を遊技者に報知することができる。これによって、遊技者は、福引で出現する抽選球Ｂが、より期待度の高い色の抽選球Ｂであることを期待するようになり、当該遊技者の興趣を高めることができる。
【０１７９】
なお、福引が実行されるごとに出現する抽選球Ｂの色は、前回の福引で出現した抽選球Ｂの色が示す期待感を下回らないように設定される。具体的には、福引が実行されて出現する抽選球Ｂの色は、前回の福引で出現した抽選球Ｂの色と同一の色か、より期待感が高くなる色となるように設定される。これによって、遊技者が抱く期待感が低下するのを防止することができる。
【０１８０】
また、本実施形態の例においては、保留演出内容として「福引券３枚」が選択された場合において、福引が実行されるごとに出現するメッセージＭの内容を例示したが、本発明はこれに限るものではない。例えば、福引が実行されるごとに出現するメッセージＭの内容は、抽選によってランダムに決定されるものであっても良い。また、当該メッセージＭの内容は、抽選球Ｂの色に応じて決定されるものであっても良い。
【０１８１】
また、最後の福引（上記の例では、３回目の福引）が実行された際に出現するメッセージＭの内容を、大当りの期待度（大当りになる確率）に応じて決定することも可能である。この場合、当該メッセージＭの内容を用いて大当りの期待度を遊技者に報知することができる。これによって、遊技者は、福引で出現するメッセージＭが、より期待度の高い内容のメッセージＭであることを期待するようになり、当該遊技者の興趣を高めることができる。
【０１８２】
なお、福引が実行されるごとに出現するメッセージＭの内容は、前回の福引で出現したメッセージＭの内容が示す期待感を下回らないように設定される。具体的には、福引が実行されて出現するメッセージＭの内容は、前回の福引で出現したメッセージＭの内容と同一の色か、より期待感が高くなる内容となるように設定される。これによって、遊技者が抱く期待感が低下するのを防止することができる。
【０１８３】
次に、表示制御ＣＰＵ１０１により選択された保留演出内容が「福引券２枚」又は「福引券１枚」である場合のＶＤＰ１０６の処理について説明する。
【０１８４】
この場合も、上述の「福引券３枚」が選択された場合と同様に、ＶＤＰ１０６は対象保留図柄１５０Ｘが保留消化領域Ｔに到達した場合には、装飾図柄４３・４３・４３の変動を開始させると共に、福引が実行される様子を表示させる。
【０１８５】
ここで、保留内容として「福引券２枚」が選択された場合、対象保留図柄１５０Ｘとして２枚保留図柄１５２（２枚の福引券）が表示される。またこの場合、すなわち先読みされた変動パターンが「変動パターンＣ」又は「変動パターンＦ」である場合（図１６参照）、演出内容として「擬似２リーチハズレ」又は「擬似２リーチ大当り」が選択される（図１２参照）。すなわち、福引が２回実行される場合、擬似連演出も同じ変動回数（すなわち、２セット）だけ行われる。
【０１８６】
また、保留内容として「福引券１枚」が選択された場合、対象保留図柄１５０Ｘとして１枚保留図柄１５１（１枚の福引券）が表示される。またこの場合、すなわち先読みされた変動パターンが「変動パターンＢ」又は「変動パターンＥ」である場合（図１６参照）、演出内容として「擬似１リーチハズレ」又は「擬似１リーチ大当り」が選択される（図１２参照）。すなわち、福引が１回実行される場合、擬似連演出も同じ変動回数（すなわち、１セット）だけ行われる。
【０１８７】
このように、保留演出内容が「福引券２枚」又は「福引券１枚」である場合にも、遊技者は第二保留図柄１５０（２枚保留図柄１５２又は１枚保留図柄１５１）の福引券の枚数を確認することで、事前に擬似連の成立数を認識することができる。なお、保留演出内容が「福引券２枚」又は「福引券１枚」である場合も「福引券３枚」の場合と同様に、擬似連を、福引券の枚数以上のセット数だけ成立させる構成とすることも可能である。
【０１８８】
なお、表示制御ＣＰＵ１０１により選択された保留演出内容が「福引券なし」である場合には、ＶＤＰ１０６は保留図柄１５０として第二保留図柄１５０Ｂ（福引券）を表示させることはない（福引を実行することはない）。
【０１８９】
以上の如く、本実施形態に係る遊技機（パチンコ遊技機）は、遊技球が入球可能な始動口（始動口２９）と、遊技球の前記始動口への入球に応じて、大当りであるか否かの大当り判定を行う大当り判定手段（主制御回路５０）と、遊技球の前記始動口への入球に応じて、図柄（装飾図柄４３）を変動表示すると共に所定の態様で停止表示させることで前記大当り判定の結果を報知する表示部（装飾図柄表示装置２７）と、遊技球の前記始動口への入球に応じて、変動表示された図柄を特定の態様で仮停止表示させた後に再び変動表示させる擬似連演出（擬似連）の変動回数を決定する擬似連演出決定手段（主制御回路５０）と、遊技球の前記始動口への入球に応じて、前記図柄の変動表示の保留情報を記憶する変動表示保留手段（主制御回路５０）と、前記変動表示保留手段により前記保留情報が記憶された場合、当該保留情報に対応する図柄の変動表示の開始前に、当該保留情報に対応して前記擬似連演出決定手段により決定された前記擬似連演出の変動回数を判定する事前判定手段（サブ制御回路８０）と、前記保留情報に応じた個数の保留表示（保留図柄１５０）を前記表示部に表示させると共に、前記事前判定手段により判定された前記擬似連演出の変動回数以下の変動回数を示唆する演出対象保留表示（第二保留図柄１５０Ｂ）を前記保留表示として表示することにより、前記擬似連演出の変動回数が当該示唆した変動回数以上であることを遊技者に報知する保留演出制御手段（サブ制御回路８０及び表示制御回路１００）とを具備するものである。
【０１９０】
このように構成することにより、従来のパチンコ遊技機では実現し得なかった斬新な保留表示の変化を表示することができ、ひいては遊技者の興趣を高めることができる。
【０１９１】
なお、本実施形態に係る遊技機は、本発明に係るパチンコ遊技機の実施の一形態である。
また、本実施形態に係る主制御回路５０は、本発明に係る大当り判定手段、擬似連演出決定手段及び変動表示保留手段の実施の一形態である。
また、本実施形態に係る装飾図柄４３は、本発明に係る図柄の実施の一形態である。
また、本実施形態に係るサブ制御回路８０は、本発明に係る事前判定手段及び保留演出制御手段の実施の一形態である。
また、本実施形態に係る装飾図柄表示装置２７は、本発明に係る表示部の実施の一形態である。
また、本実施形態に係る表示制御回路１００は、本発明に係る保留演出制御手段の実施の一形態である。
また、本実施形態に係る保留図柄１５０は、本発明に係る保留表示の実施の一形態である。
また、本実施形態に係る第二保留図柄１５０Ｂは、本発明に係る演出対象保留表示の実施の一形態である。
【０１９２】
なお、本実施形態においては、対象保留図柄１５０Ｘ（第二保留図柄１５０Ｂ）は単に第四表示位置Ｐ４から保留消化領域Ｔに向かって順に移動するものとしたが、当該移動の途中で第二保留図柄１５０Ｂを変化させる構成とすることも可能である。例えば、第四表示位置Ｐ４において対象保留図柄１５０Ｘとして１枚保留図柄１５１（１枚の福引券）を表示する（図３３（ａ）参照）。当該対象保留図柄１５０Ｘが第四表示位置Ｐ４から第三表示位置Ｐ３に移動した場合、当該対象保留図柄１５０Ｘを２枚保留図柄１５２（２枚の福引券）に変化させる（図３３（ｂ）参照）。同様に、当該対象保留図柄１５０Ｘが第三表示位置Ｐ３から第二表示位置Ｐ２に移動した場合、当該対象保留図柄１５０Ｘを３枚保留図柄１５３（３枚の福引券）に変化させる（図３３（ｃ）参照）。このように、対象保留図柄１５０Ｘの移動に伴って福引券の枚数を増加させることで、遊技者の興趣をより高めることができる。
【０１９３】
また、本実施形態においては、保留消化領域Ｔに表示された対象保留図柄１５０Ｘ（第二保留図柄１５０Ｂ）は変化しないものとしたが、本発明はこれに限るものではなく、当該対象保留図柄１５０Ｘを変化させる構成とすることも可能である。例えば、保留消化領域Ｔに対象保留図柄１５０Ｘとして３枚保留図柄１５３が表示され、１回目の福引（図３４（ａ）参照）が実行された後、当該対象保留図柄１５０Ｘを２枚保留図柄１５２に変化させる（図３４（ｂ）参照）。さらに、２回目の福引（図３４（ｂ）参照）が実行された後、当該対象保留図柄１５０Ｘを１枚保留図柄１５１に変化させる（図３４（ｃ）参照）。このように、福引の実行に合わせて福引券の枚数を減らしていくことで、福引が実行されている様子を遊技者により強く印象付けることができる。
【０１９４】
また、本実施形態において示した第二保留図柄１５０Ｂ（福引券を模した図柄）は一例であり、本発明はこれを限定するものではない。すなわち、第二保留図柄１５０Ｂは福引券に限らず、擬似連の成立回数（保証された成立回数）を遊技者に報知することができる図柄であれば良い。またこの場合、第二保留図柄１５０Ｂとして数字（アラビア数字等）を用いて擬似連の成立回数を報知することも可能であるが、本実施形態の如く演出内容（福引）に関連した図柄（福引券）の個数（枚数）で報知することで、遊技者に直感的に擬似連の成立回数を報知することができると共に、演出の統一感を出すことができる。
【０１９５】
また、本実施形態においては、第二保留図柄１５０Ｂ（福引券を模した図柄）と関連して、福引を実行する演出を行うものとしたが、本発明はこれに限定するものではない。例えば、単に第二保留図柄１５０Ｂを用いて擬似連の成立回数（保証された成立回数）を遊技者に報知するだけ（福引を実行しない）であっても良い。
【０１９６】
また、本実施形態において例示した各テーブル（演出内容選択テーブル９１、保留演出内容選択テーブル９９等）の内容は一例であり、任意に設定することが可能である。これによって、本実施形態に示した保留演出内容の例に限らず、様々な保留演出内容を設定することができる。
【０１９７】
また、本実施形態においては、変動パターン（ひいては、擬似連の成立回数）を先読みして、当該先読みの結果に基づいて保留演出内容を選択するものとしたが、例えば大当り判定の結果や演出パターン（リーチ当り、リーチハズレ等の演出内容）の選択結果を先読みして、当該先読みの結果に基づいて保留演出内容を選択する構成とすることも可能である。
【０１９８】
また、本実施形態においては、第一保留図柄１５０Ａとして球体を模した図柄を例示したが、第一保留図柄１５０Ａはその他の形状であっても良く、またその模様や色彩も限定するものではない。
【符号の説明】
【０１９９】
２６：特別図柄表示装置，２９：始動口，４３：装飾図柄，５０：主制御回路，８０：サブ制御回路，１００：表示制御回路，１５０：保留図柄，１５０Ｂ：第二保留図柄，１５１：１枚保留図柄，１５２：２枚保留図柄，１５３：３枚保留図柄
【図１】
2015223276.tif 000003
【図２】
2015223276.tif 000004
【図３】
2015223276.tif 000005
【図４】
2015223276.tif 000006
【図５】
2015223276.tif 000007
【図６】
2015223276.tif 000008
【図７】
2015223276.tif 000009
【図８】
2015223276.tif 000010
【図９】
2015223276.tif 000011
【図１０】
2015223276.tif 000012
【図１１】
2015223276.tif 000013
【図１２】
2015223276.tif 000014
【図１３】
2015223276.tif 000015
【図１４】
2015223276.tif 000016
【図１５】
2015223276.tif 000017
【図１６】
2015223276.tif 000018
【図１７】
2015223276.tif 000019
【図１８】
2015223276.tif 000020
【図１９】
2015223276.tif 000021
【図２０】
2015223276.tif 000022
【図２１】
2015223276.tif 000023
【図２２】
2015223276.tif 000024
【図２３】
2015223276.tif 000025
【図２４】
2015223276.tif 000026
【図２５】
2015223276.tif 000027
【図２６】
2015223276.tif 000028
【図２７】
2015223276.tif 000029
【図２８】
2015223276.tif 000030
【図２９】
2015223276.tif 000031
【図３０】
2015223276.tif 000032
【図３１】
2015223276.tif 000033
【図３２】
2015223276.tif 000034
【図３３】
2015223276.tif 000035
【図３４】
2015223276.tif 000036